(57)【要約】      （修正有）【課題】歩行時に体の重心移動と体重移動の経路を意識させて正常な歩行運動を導き、さらに歩行運動に関与する筋肉群に負荷をかけて、しかも足首の許容傾斜角度の安全域を保持できる構造を有する靴の不安定要素を、アウトソ−ルの接地面側に備え、足と下肢と体幹を連続して鍛えることができる健康靴を提供する。【解決手段】踵から爪先に向けて徐々に厚くなるように成形した傾斜角度を有する靴のアウトソ−ルの接地面側に、正常な歩行時の体重移動と重心の移動の経路に沿った不安定要素を構成する略Ｓ字形の突条体を備え、この突条体とともに、突子を８つ設け、突子は靴の不安定要素を構成するとともに、足首の許容傾斜角度を超えない構造を有し、不安定要素による足首へが負荷を受け続けて歩行運動することにより足と下肢と体幹を連続して鍛えることが出来る。【選択図】図１
0003220169.tif 000002
【実用新案登録請求の範囲】
【請求項１】
樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有することを特徴とする、連続して足ＡＳと下肢ＫＳと体幹ＴＫを鍛えることができる健康靴。
【請求項２】
樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、踵ＦＮ１の内足側の土踏まずＦＮ３に近い部位を起点として、踵ＦＮ１の後方の部位を通り踵ＦＮ１から第五足指ＦＦ５の根元の小指球ＦＮ６に至る外足側の足刀部ＦＮ２を通り、さらに小指球ＦＮ６と指尖球ＦＮ５と母指球ＦＮ４を結ぶ部位を通り、第一足指ＦＦ１と第二足指ＦＦ２の間の部位を終点とする靴の不安定要素を構成する略Ｓ字形の突条体ＳＴを備えていることを特徴とする、請求項１の連続して足ＡＳと下肢ＫＳと体幹ＴＫを鍛えることができる健康靴。
【請求項３】
樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、踵ＦＮ１の内足側の土踏まずＦＮ３に近い部位を起点として、踵ＦＮ１の後方の部位を経て、踵ＦＮ１から第五足指ＦＦ５の根元の小指球ＦＮ６に至る外足側の足刀部ＦＮ２を経て、さらに小指球ＦＮ６と指尖球ＦＮ５と母指球ＦＮ４を結ぶ部位を経て、第一足指ＦＦ１と第二足指ＦＦ２の間の部位を終点とする、正常な歩行時の体重移動と重心の移動の経路に沿って靴の不安定要素を構成する略Ｓ字形の突条体ＳＴを備えており、そして、この靴の不安定要素を構成する略Ｓ字形の突条体ＳＴの起点とした踵ＦＮ１の内足側の土踏まずＦＮ３に近い部位に突子ＴＭ１と、踵ＦＮ１の後方の部位に突子ＴＨ２を設けて、そして踵ＦＮ１から第五足指ＦＦ５の根元の小指球ＦＮ６に至る外足側の足刀部ＦＮ２の踵ＦＮ１に近い部位に突子ＴＬ３を設けて、さらに、足刀部ＦＮ２の小指球ＦＮ６に近い部位にＴＬ４を設けて、小指球ＦＮ６の部位には突子ＴＬ５を設けて、さらに、指尖球ＦＮ５の部位に突子ＴＬ６と母指球ＦＮ４の部位に突子ＴＭ７を設けて、靴の不安定要素を構成する略Ｓ字形の突条体ＳＴの終点とした第一足指ＦＦ１と第二足指ＦＦ２の間の部位に、突子ＴＨ８を設けた構造は、突子ＴＨ２と突子ＴＨ７は高さが高く、靴の不安定要素を構成する略Ｓ字形の突条体ＳＴとともに、靴の不安定要素を構成しつつも、突子ＴＭ１と突子ＴＭ７は足首が内足側に傾斜するときの傾斜止めの機能を有し、その傾斜角度を傾斜角θ２及び傾斜角θ５に留まり、そして、突子ＴＬ３と突子ＴＬ４と突子ＴＬ５は足首が外足側に傾斜するときの傾斜止めの機能を有し、その傾斜角度を傾斜角θ３及び傾斜角θ４に留まり、足首の許容傾斜角度を超えない様にして、足首の安全性を保つことが出来る構造を有していることを特徴とする、請求項１の連続して足ＡＳと下肢ＫＳと体幹ＴＫを鍛えることができる健康靴。
【考案の詳細な説明】
【技術分野】
【０００１】
本考案は、足と下肢と体幹を鍛える健康靴の形状に関する。
【背景技術】
【０００２】
頭部の重さが体重の１０パーセント程になり、図１５に示す骨盤Ｂ１４のあたりに体の重心を持つ人間の２足歩行の本質は、体重と重心を移動しながら、不安定なバランスを連続して回復して行く全身運動と言われる。
【０００３】
それは、前後に、また左右に倒れないように、そして上下に移動する重心にも対応するため、図９と図１０に示す足ＡＳの筋肉群、図１１に示す下肢ＫＳの筋肉群、図１４と図１５に示す体幹ＴＫの筋肉群など足先から首までの筋肉群が歩行運動に関与していることにある。
【０００４】
そして、歩行の周期は、図１６に示す片方の足の踵ＦＮ１が地面に接地して、同じ側の足の踵ＦＮ１が再び接地するまでをいう。
【０００５】
更に歩行運動は、立脚相と遊脚相からなり、立脚相は、踵ＦＮ１が地面に接地する瞬間の踵接地期、図３と図１６に示す足の裏ＡＵ全面が接地している瞬間の足底接地期、そしてその接地している足ＡＳの真上を重心と体重が移動している立脚中期、さらにその足ＡＳの爪先が地面から離れる瞬間の蹴出期までをいい、遊脚相は、図１５に示す足ＡＳの爪先が地面を蹴り出して、爪先が地面から離れる瞬間の加速期、地面を蹴り出した足ＡＳの膝関節ＨＫが、反対側の下肢ＫＳの前方に超えて出て、その足ＡＳの下肢ＫＳが垂直になる瞬間の遊脚中期、そしてその足ＡＳの踵ＦＮ１が再び地面に接地する減速期までとされる。
【０００６】
一方、体重と重心の移動は、踵ＦＮ１が地面に接地する瞬間は体重と重心ともに０パーセントから２５パ−セントの移動が行われ、足の裏ＡＵ全体が接地して足ＡＳの真上を体重が移動している瞬間は２５パ−セントから７５パ−セントの移動が行われ、そして踵に次いで、爪先が地面から離れる瞬間の踵離期と加速期には７５パ−セントから１００パ−セントが移動する。
【０００７】
そして、歩行運動に関与する筋肉群は、歩行周期の全般を通して図１５に示す体幹ＴＫの前屈のために図１４に示す脊柱起立筋Ｍ２２と図１１に示す前脛骨筋Ｍ３が関与する。特に、脊柱起立筋Ｍ２２は重心と体重が左右の足ＡＳ間で移動する立脚相後期と遊脚相の前期に、弛緩と収縮をして体幹ＴＫの平衡状態の維持に重要である。また立脚相全般を通して、体幹ＴＫの前屈のために図１４に示す脊柱起立筋Ｍ２２と図１１に示す腓腹筋Ｍ１４とヒラメ筋Ｍ１６と、その下部のアキレス腱Ｍ１が関与する。そして遊脚相全般を通して、足関節の背屈位の保持のために図１１に示す大腿二頭筋Ｍ５が関与する。
【０００８】
歩行周期のうち、立脚相前期には図１５に示す骨盤Ｂ１４の下降を予防し、骨盤Ｂ１４の安定のために図１１に示す大内転筋Ｍ７と短内転筋Ｍ２６と薄筋Ｍ８と長内転筋Ｍ１１と大腿筋膜張筋Ｍ１９と大臀筋Ｍ６と中臀筋Ｍ９と小臀筋Ｍ２と大腿四頭筋Ｍ４と大腿二頭筋Ｍ５と前脛骨筋Ｍ３とヒラメ筋Ｍ１６と腓腹筋Ｍ１４と後脛骨筋Ｍ２０が関与する。また立脚相後期と踵接地期には、足関節の固定と膝折れを防ぐために、図１１に示す大腿四頭筋Ｍ４と大腿二頭筋Ｍ５と腓腹筋Ｍ１４と長腓骨筋Ｍ１２と短腓骨筋Ｍ１５とヒラメ筋Ｍ１６と後脛骨筋Ｍ２０が関与する。
【０００９】
そして、遊脚相前期には図１５に示す骨盤Ｂ１４の安定のために図１１に示す腸腰筋Ｍ１３と大内転筋Ｍ７と薄筋Ｍ８と長内転筋Ｍ１１と短内転筋Ｍ２６とが関与し、足関節ＨＫの背屈位の保持のために大腿二頭筋Ｍ５が関与する。遊脚相後期と減速期には、骨盤Ｂ１４の下降予防と足関節ＨＫの固定のために、大臀筋Ｍ６と大腿二頭筋Ｍ５と腸腰筋Ｍ１３と大腰筋Ｍ２９と大腿四頭筋Ｍ４関与する。
【００１０】
一方、成人の骨は概ね２０６ケ有り、そのうち図１６に示すように、足骨ＢＳは距骨Ｂ２と舟状骨Ｂ５と立方骨Ｂ６と踵骨Ｂ１と楔状骨Ｂ４と中足骨ＢＴＫと基節骨ＢＫＫと末節骨ＢＭＫからなり、踵骨Ｂ１の上には距骨Ｂ２が位置し、その上に脛骨Ｂ３と腓骨Ｂ１２からなる関節を形成しており、歩行運動時の体重を大腿骨Ｂ１３と脛骨Ｂ３と腓骨Ｂ１２とその下の距骨Ｂ２とその他の足骨ＢＳで受け止めて、体重と重心の移動を円骨に進めるように足首の安定を維持している。
【００１１】
足首は、機能の異なる骨からなる距腿関節、距踵関節、踵立方関節、距舟関節の４つの関節構造を持つ。
【００１２】
そして、足首には外足側に９つの靭帯と、内足側には５つの靭帯があり、骨と関節を結合して足首の安定を支持している。
【００１３】
足首の運動のうち、足ＡＳの甲側に反る伸展または背屈には、図１０に示す前脛骨筋Ｍ３と図９に示す長趾伸筋Ｍ１０と長母趾伸筋Ｍ２８が関与する。そして足首を足ＡＳの裏側に反る屈曲または底屈には、図１１に示すヒラメ筋Ｍ１６と腓腹筋Ｍ１４と長腓骨筋Ｍ１２及び図１０に示す長母趾屈筋Ｍ２１と短趾屈筋Ｍ２７が関与する。
【００１４】
足首の運動の許容傾斜角度については図１１に示す腓骨Ｂ１２を基軸に足首を足ＡＳの甲側に反る伸展または背屈の許容傾斜角度は２０度から３０度ほどで、安全域は２５度程度で、また足の裏ＡＵ側に反る屈曲また底屈の許容傾斜角度は３０度から５０度で、安全域は４０度ほど。
【００１５】
下腿軸への垂直線を基軸に、図１２に示すように足首が内足側に傾き外足側が開く外返しＳＧの許容傾斜角度は２０度で、安全域は１５度ほど、また足首が外足側に傾き内足側が開く内返しＵＧの許容傾斜角度は３０度で、安全域は２０度ほど。
【００１６】
図１６に示すように、踵ＦＮ１と第一足指ＦＦ１と第二足指ＦＦ２と踵ＦＮ１の間を結ぶ線を基軸に、足首を第一足指ＦＦ１側に回転する内転の許容傾斜角度は１５度から２５度で、安全域は２０度程度、そして足首を第五足指ＦＦ５側に回転する外転の許容傾斜角度は５度から１５度ほどで、安全域は１０度ほど。
【００１７】
足首の許容傾斜角度を超えると捻挫の障害をおこす。捻挫の中でも内反捻挫が大部分を占める。これらの障害を予防するためには、足首の筋肉群を鍛え、かつ歩行中や運動中に、足首の許容傾斜角度を意識して、安全域を超えないようにすることが大切である。
【００１８】
体重の移動が、図３と図４及び図１６に示す踵ＦＮ１から足刀部ＦＮ２に移動して小指球ＦＮ６に抜けてから指尖球ＦＮ５に、そして母指球ＦＮ４にと移動して行くとき、その体重が足骨ＢＳの第五中足骨Ｂ１１の前部から第四中足骨Ｂ１０の前部にと移動して、そして、第三中足骨Ｂ９の前部に移動してから第二中足骨Ｂ８の前部に移動して第一中足骨Ｂ７にと順に、しかも瞬時に移動するとき、図９に示す外足側の小指外転筋ＭＧと内足側の母指外転筋ＭＮがバネのように徐々に収縮してゆくが、全部の中足骨ＢＴＫが着地するまでには、小指外転筋ＭＧと母指外転筋ＭＮの収縮により、第一足指ＦＦ１と第五足指ＦＦ５が外側に広がって、足首を安定させて重心の移動も体重の移動も円滑に進む。
【００１９】
また、足ＡＳには図８に示すように骨と関節からなる３つのアーチの構造を持つ。１つは踵ＦＮ１から第五足指ＦＦ５を結ぶ外足側の縦のアーチでＡＴＳが有り、そして、２つ目は踵ＦＮ１から第一足指ＦＦ１の付け根の母指球ＦＮ４を結ぶ内足側の縦のアーチＡＴＮがある。そして、３つ目は、楔状骨Ｂ４及び中足骨ＢＴＫを、内足側から外足側までを結ぶ横のアーチが有り、中足骨ＢＴＫの前部の横のアーチＡＹ３と中足骨ＢＴＫの後部の横のアーチＡＹ２及び、内足側の楔状骨Ｂ４から外足側の立方骨Ｂ６を結ぶ横のアーチＡＹ１で構成されている。
【００２０】
これらの３つのアーチは、図１６に示す足の裏ＡＵの形が、お椀を逆さにして地面に伏せたような形状でバネのような機能を持っており、上半身を側面から見た脊柱のＳ字型弯曲構造とともに、体と頭部が受ける衝撃を緩和する機能を担っている。
【００２１】
このうち、図８及び図１６に示すように、内足側の縦アーチＡＴＮは土踏まずＦＮ３を形成しており、この土踏まずＦＮ３の頂点にあって要となるのが舟状骨Ｂ５で、体重を支えることと、足の蹴り出しの際に重要な骨である。
【００２２】
この舟状骨Ｂ５を真下から支えているのが第一足指ＦＦ１の運動に関与する図１０の（Ａ）に示す長母趾屈筋Ｍ２１と、残りの４本の指の運動に関与する短趾屈筋Ｍ２７で、足底のクッションの働きをする。
【００２３】
また、この舟状骨Ｂ５を上に引き上げているのが図１０の（Ｂ）に示すように、前脛骨筋Ｍ３と後脛骨筋Ｍ２０で、舟状骨を真下から支えている長母趾屈筋Ｍ２１と短趾屈筋Ｍ２７とともに、この４つの筋肉がバランス良く働いていると図１３に示すように正常な土踏まずＦＮ３が形成されて正常な足ＴＡを形成するが、これらの筋肉が緩んで筋力を失うと、舟状骨Ｂ５が下降してしまい内足側の縦のアーチＡＴＮが崩れて偏平足ＨＡになることが知られている。
【００２４】
図１３に示すように偏平足ＨＡになると、体重が下降した土踏まずＦＮ３にかかる結果、下降した土踏まずＦＮ３の上を体重と重心が移動するので、足ＡＳの甲がつぶれて広がり、図１６に示す第一足指ＦＦ１と第二足指ＦＦ２の間が横に広がるので第一足指ＦＦ１の付け根と第一中足骨Ｂ７が内足側に折れて、“く”の字を描くように変形する。
これが外反母趾である。先が細く幅の狭い靴を履くと、突き出た第一中足指ＦＦ１の付け根が靴に当たり痛みを伴う。
【００２５】
足ＡＳの甲がつぶれると、図８に示す内足側の縦のアーチＡＴＮが崩れて、図１６に示す土踏まずＦＮ３が沈み込むので足ＡＳの甲が図１５に示すように下降ＢＲ１するので、足首は内足側に捻じれてしまい、膝関節ＨＫも内足側に向いて大腿骨Ｂ１３と脛骨Ｂ３が内側向きに、“く”の字を描くような形状になり、股関節ＨＫの内転ＨＲが生じる結果、左足を例にすると、右側の脚全体の長さに比較して、左側の脚全体の長さが相対的に短くなるので、膝関節ＨＫが下降ＢＲ２して、図１５に示すように、骨盤Ｂ１４が左側に傾きＢＲ３が生じて、頭部の平衡を保つために、図１５に示すように左肩が上がり右肩が下がるような肩の傾きＢＲ４が日常化して骨格の中心線ＳＬに対して、脊柱Ｂ１６が弯曲する要因になる。
【００２６】
そして、土踏まずＦＮ３が下降して偏平足ＨＡになると、足骨ＢＳの変形と膝関節ＨＫの捻じれと骨盤Ｂ１４の傾きなどの骨格の変形等を生じる結果、足の関節痛や腰痛や肩凝りを引き起こす原因にもなっていることが知られる。
【００２７】
以上により、正しい歩行運動により足ＡＳの３つのアーチを健全に維持することと、足ＡＳの３つのアーチが崩れないように予防すること、又は崩れつつある足ＡＳの３つのアーチを健全に戻すことも大切である。
【００２８】
正しい歩行運動では、体重と重心の移動は、図３及び図１０に示すように踵ＦＮ１の真中から足刀部ＦＮ２を抜け、第五足指ＦＦ５の付け根の小指球ＦＮ６と指尖球ＦＮ５と母指球ＦＮ４を結ぶ部位を瞬時に抜け、第一足指ＦＦ１と第二足指ＦＦ２の間の部位を抜けて行く経路で移動するので、特定のアーチにのみ負荷がかかること無く、３つのアーチで負荷を分散している。
【００２９】
歩行運動全般では、図１４に示す脊柱起立筋Ｍ２２と、図１１に示す大臀筋Ｍ６と中臀筋Ｍ９が関与しており、大臀筋Ｍ６は大きな筋肉で首から下肢ＫＳに渡るすべての筋肉運動に関与しており、大臀筋Ｍ６が弱ると、他の筋肉が補完することになるので、筋肉痛や疲労感を増すこととなり、腰痛などを感ずる時も大臀筋Ｍ６の衰えが考えられる。また、中臀筋Ｍ９は身体のバランスをとる筋肉で、衰えると歩行中や立ち上がる姿勢を取るときのバランスが取り難くなる。
【００３０】
また、大臀筋Ｍ６と中殿筋Ｍ９と小臀筋Ｍ２は骨盤Ｂ１４を正常位置に支えるとともに、肛門や尿道の括約筋の収縮にも関与している。そして臀筋群は骨盤Ｂ１４が前後、左右にずれないように位置の安定に関与しており、骨盤Ｂ１４の位置がずれると骨盤底筋の一部である肛門筋が緩んで尿漏れを生ずることにもなる。
【００３１】
このように正しい歩行運動は、足ＡＳと下肢ＫＳと、骨盤Ｂ１４の正常位置を維持して、体幹ＴＫを健全に保つための、大切な運動である。
【００３２】
このため、これまで健康維持や体幹のトレ−ニングを目的として、各種の運動補助具が開発されている。
【先行技術文献】
【特許文献】
【００３３】
【特許文献１】特開２０１４-２３９７９０
【特許文献２】実用新案登録第３０９６４０４号
【非特許文献】
【００３４】
【非特許文献１】スポ−ツ医学会、スポ−ツ損傷、コンデイショニング
【非特許文献２】医歯薬出版、基礎運動学、基礎から学ぶ運動学ノート、歩行時の筋肉
【００３５】
特許文献１によると、図１７の（Ａ）図に示すように不安定要素を備えたボード状物の上に片足、または両足をのせて使用するバランス訓練器具であるが、定位置で使用するボ−ド状物に乗って行うバランス訓練は、歩行運動に伴う体の重心移動と体重移動に関与する筋肉群の弛緩と収縮活動と同等の効果は期待できない。
【００３６】
また、特許文献２によると、図１７の（Ｂ）図に示すように靴底の中央部を頂点とする傾斜構造をもち、踵から接地して、弯曲した膝を直立させるなど、姿勢の矯正を目的とするダイエット健康器具であるが、立脚後期の踵離期と爪先の蹴出しに関与する筋肉群を鍛える効果が薄れるか、または効果が期待できない。
【００３７】
しかし、特許文献１と、特許文献２による技術面に共通しているのは、正常な歩行運動に関与する足首ＡＳと下肢ＫＳ及び骨盤Ｂ１４などを含む体幹ＴＫを支える筋肉群を連続して鍛える機能面と、足首の安全性を保持する機能面に欠ける。
【考案の概要】
【考案が解決しようとする課題】
【００３８】
そこで、この考案は、歩行時に体の重心移動と体重移動の経路を意識させて正常な歩行運動を導き、さらに歩行運動に関与する筋肉群に負荷をかけて、しかも足首の許容傾斜角度の安全域を保持できる構造を、靴の不安定要素をアウトソ−ルＳＳの接地面側に備えて、足ＡＳと下肢ＫＳと体幹ＴＫを連続して鍛えることができる健康靴を提供することを課題とする。
【課題を解決するための手段】
【００３９】
以上の課題を解決するために、第一考案は、樹脂系の素材を用いて靴のアウトソールＳＳを、踵ＦＮ１から爪先に向けて徐々に厚くなるように成形して、靴のミッドソ−ルＳＭとの接着面側と接地面側との間に設けた傾斜角度θ１を有することを特徴とする足ＡＳと下肢ＫＳと体幹ＴＫを連続して鍛えるための健康靴である。
【００４０】
また、第二考案は、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、踵ＦＮ１の内足側の土踏まずＦＮ３に近い部位を起点として、踵ＦＮ１の後方の部位を経て、踵ＦＮ１から第五足指ＦＦ５の根元の小指球ＦＮ６に至る外足側の足刀部ＦＮ２を経て、さらに小指球ＦＮ６と指尖球ＦＮ５と母指球ＦＮ４を結ぶ部位を経て、第一足指ＦＦ１と第二足指ＦＦ２の間の部位を終点とする正常な歩行時の体重移動と重心の移動経路に沿って、靴の不安定要素を構成する略Ｓ字形の突条体ＳＴを備えていることを特徴とする足ＡＳと下肢ＫＳと体幹ＫＳを連続して鍛えるための健康靴である。
【００４１】
さらに、第三考案は、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、踵ＦＮ１の内足側の土踏まずＦＮ３に近い部位を起点として、踵ＦＮ１の後方の部位を経て、踵ＦＮ１から第五足指ＦＦ５の根元の小指球ＦＮ６に至る外足側の足刀部ＦＮ２を経て、さらに小指球ＦＮ６と指尖球ＦＮ５と母指球ＦＮ４を結ぶ部位を経て、第一足指ＦＦ１と第二足指ＦＦ２の間の部位を終点とする正常な歩行時の体重移動と重心の移動の経路に沿って、靴の不安定要素を構成する略Ｓ字形の突条体ＳＴを備えており、そして、この靴の不安定要素を構成する略Ｓ字形の突条体ＳＴの起点とした踵ＦＮ１の内足側の土踏まずＦＮ３に近い部位に突子ＴＭ１と、踵ＦＮ１の後方の部位に突子ＴＨ２を設け、そして、踵ＦＮ１から第五足指ＦＦ５の根元の小指球ＦＮ６に至る外足側の足刀部ＦＮ２の踵ＦＮ１に近い部位には突子ＴＬ３を設けてさらに、足刀部ＦＮ２の小指球ＦＮ６に近い部位にＴＬ４を設けて、小指球ＦＮ６の部位には突子ＴＬ５を設け、さらに指尖球ＦＮ５の部位に突子ＴＬ６と母指球ＦＮ４の部位に突子ＴＭ７を設けて、靴の不安定要素を構成する略Ｓ字形の突条体ＳＴの終点とした第一足指ＦＦ１と第二足指ＦＦ２の間の部位に突子ＴＨ８を設けた構造は、突子ＴＨ２と突子ＴＨ７は高さが高く、靴の不安定要素を構成しており、突子ＴＭ１と突子ＴＭ７は足首が内足側に傾斜するときの傾斜止めの機能を有し、その傾斜角度を傾斜角θ２及び傾斜角θ５に留まり、そして、突子ＴＬ３と突子４と突子５は足首が外足側に傾斜するときの傾斜止めの機能を有し、その傾斜角度を傾斜角θ３及び傾斜角θ４に留まり、足首の許容傾斜角度を超えない様にして、足首の安全性を保つことが出来る構造を備えていることを特徴とする足ＡＳと下肢ＫＳと体幹ＴＫを連続して鍛えるための健康靴である。
【考案の効果】
【００４２】
本考案の第一考案によれば、樹脂系の素材を用いて靴のアウトソ−ルＳＳを、踵ＦＮ１から爪先に向けて徐々に厚くなるように成形して、図１と図２及び図３に示すように靴のミッドソ−ルＳＭとの接着面側と接地面側との間に設けた傾斜角度θ１を有していることは、常に坂道を登坂する歩行運動と同じ状態を形成して、踵ＦＮ１が地面に接地する瞬間の踵接地期、足の裏全面が接地している瞬間の足底接地期、そしてその接地している足ＡＳの真上を重心と体重が移動している立脚中期と、さらにその足ＡＳの爪先が地面から離れる瞬間の蹴出期までの立脚相全般にわたり、足関節の固定と膝折れの予防に関与する大腿四頭筋Ｍ４と大腿二頭筋Ｍ５と腓腹筋Ｍ１４と短腓骨筋Ｍ１５とヒラメ筋Ｍ１６と後脛骨筋Ｍ２０とアキレス腱Ｍ１等の弛緩と収縮を連続して強化ができることと、体幹ＴＫの前屈のための脊柱起立筋Ｍ２２と前脛骨筋Ｍ３と腓腹筋Ｍ１４とアキレス腱Ｍ１等の弛緩と収縮を連続して強化ができることと、さらに、足首を甲側に反る伸展または背屈に関与する前脛骨筋Ｍ３と長趾伸筋Ｍ１０と長母趾伸筋Ｍ２８および、足首を足の裏側に反る屈曲または底屈に関与するヒラメ筋Ｍ１６と腓腹筋Ｍ１４と長腓骨筋Ｍ１２の弛緩と収縮を連続して鍛えること、立脚相の蹴出期には長母趾屈筋Ｍ２１と長趾屈筋Ｍ２７を連続して鍛えることができるという利点がある。
【００４３】
本考案の第二考案によれば、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、図３に示すように踵ＦＮ１の内足側の土踏まずＦＮ３に近い部位を起点として、踵ＦＮ１の後方の部位を経て踵ＦＮ１から第五足指ＦＦ５の根元の小指球ＦＮ６に至る外足側の足刀部ＦＮ２を経て、さらに小指球ＦＮ６と指尖球ＦＮ５と母指球ＦＮ４を結ぶ部位を経て、第一足指ＦＦ１と第二足指ＦＦ２の間の部位を終点とする、正常な歩行運動時の体重移動と重心移動の経路に沿って、靴の不安定要素を構成する略Ｓ字形の突条体ＳＴを備えていることは、歩行運動のときに靴のアウトソ−ルＳＳの接地面に備えた不安定要素を構成する略Ｓ字形の突条体ＳＴを意識して歩行運動をすることにより、体重移動と重心の移動の経路に沿った正しい歩行運動に導かれることにより、歩行運動中に、体重の負荷が足ＡＳの３つのアーチ構造に分散してかかるので、歩行運動に関与する筋肉群が健全な弛緩と収縮を繰り返して行われる結果、足ＡＳと下肢ＫＳと体幹ＫＳを健康に保つことが出来るという利点がある。
【００４４】
本考案の第三考案によれば、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、図３に示すように踵ＦＮ１の内足側の土踏まずＦＮ３に近い部位を起点として、踵ＦＮ１の後方の部位を経て、踵ＦＮ１から第五足指ＦＦ５の根元の小指球ＦＮ６に至る外足側の足刀部ＦＮ２を経て、さらに小指球ＦＮ６と指尖球ＦＮ５と母指球ＦＮ４を結ぶ部位を経て、第一足指ＦＦ１と第二足指ＦＦ２の間の部位を終点とする正常な歩行時の体重移動と重心の移動の経路に沿って靴の不安定要素を構成する略Ｓ字形の突条体ＳＴを備えており、そして図３及び図４に示すように、この靴の不安定要素を構成する略Ｓ字形の突条体ＳＴの起点とした踵ＦＮ１の内足側の土踏まずＦＮ３に近い部位に突子ＴＭ１と、踵ＦＮ１の後方の部位に突子ＴＨ２を設けそして踵ＦＮ１から第五足指ＦＦ５の根元の小指球ＦＮ６に至る外足側の足刀部ＦＮ２の踵ＦＮ１に近い部位には突子ＴＬ３を設けてさらに、足刀部ＦＮ２の小指球ＦＮ６に近い部位にＴＬ４を設けて小指球ＦＮ６の部位には突子ＴＬ５を設けさらに指尖球ＦＮ５の部位に突子ＴＬ６と母指球ＦＮ４の部位に突子ＴＭ７を設けて、靴の不安定要素を構成する略Ｓ字形の突条体ＳＴの終点とした第一足指ＦＦ１と第二足指ＦＦ２の間の部位には突子ＴＨ８を設けた構造は、突子ＴＨ２と突子ＴＨ７は高さが高く、靴の不安定要素を構成しており、突子ＴＭ１と突子ＴＭ７は足首が内足側に傾斜するときの傾斜止めの機能を有し、図５と図６の拡大図（Ａ）及び図７の拡大図（Ｂ）に示すように、その傾斜角度を傾斜角θ２及び傾斜角θ５に留まるので図１２に示す、足首が内足側に傾いて外足側が開く外返しＳＧの許容傾斜角度を超えないように足首の傾斜角度を保ち、そして、突子ＴＬ３と突子ＴＬ４と突子ＴＬ５は足首が外足側に傾斜するときの傾斜止めの機能を有し、図６の拡大図（Ａ）及び図７の拡大図（Ｂ）に示すように、その傾斜角度を傾斜角θ３及び傾斜角θ４に留まるので図１２に示す、足首が外足側に傾いて内足側が開く内返しＵＧの許容傾斜角度を超えないように足首の傾斜角度を保持するので、足首の安全域を保持しつつ、足ＡＳと下肢ＫＳと体幹ＴＫを鍛えることができるという利点がある。
【図面の簡単な説明】
【００４５】
【図１】図１は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの形状及びアウトソ−ルＳＳの接地面に設けた不安定要素を構成する略Ｓ字形の突条体ＳＴ及び不安定要素を構成する突子ＴＭ１と突子ＴＨ２と突子ＴＬ３と突子ＴＬ４と突子ＴＬ５と突子ＴＬ６と突子ＴＭ７と突子ＴＨ８の形状を示す図である。
【図２】図２は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの形状と、靴のアウトソ−ルＳＳに設けた不安定要素を構成する略Ｓ字形の突条体ＳＴ及び突子ＴＭ１と突子ＴＨ２と突子ＴＬ３と突子ＴＬ４と突子ＴＬ５と突子ＴＬ６と突子ＴＭ７と突子ＴＨ８を備えた右足の靴の形状を、裏面から見た斜視図である。
【図３】図３は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する、アウトソ−ルＳＳの接地面に不安定要素を構成する略Ｓ字形の突条体ＳＴ及び不安定要素を構成する突子ＴＭ１と突子ＴＨ２と突子ＴＬ３と突子ＴＬ４と突子ＴＬ５と突子ＴＬ６と突子ＴＭ７と突子ＴＨ８足の、裏ＡＵの各部位との位置関係を示す図である。
【図４】図４は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する、靴のアウトソ−ルＳＳに設けた不安定要素を構成する略Ｓ字形の突条体ＳＴ及び不安定要素を構成する突子ＴＭ１と突子ＴＨ２と突子ＴＬ３と突子ＴＬ４と突子ＴＬ５と突子ＴＬ６と突子ＴＭ７と突子ＴＨ８の足骨ＢＳの各部位との位置関係を示す平面図である。
【図５】図５は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する、靴のアウトソ−ルＳＳに設けた不安定要素を構成する略Ｓ字形の突条体ＳＴ及び不安定要素を構成する突子ＴＭ１と突子ＴＨ２と突子ＴＬ３と突子ＴＬ４と突子ＴＬ５と突子ＴＬ６と突子ＴＭ７と突子ＴＨ８及び足骨ＢＳの各部位との位置関係を示す靴の側面図である。
【図６】図６は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する、靴のアウトソ−ルＳＳの接地面に設けた不安定要素を構成する略Ｓ字形の突条体ＳＴ及び不安定要素を構成する突子ＴＭ１と突子ＴＨ２と突子ＴＬ３の形状と足骨ＢＳの各部位との位置関係を靴の後方から見た図で、部分拡大図Ａは靴のアウトソ−ルＳＳの接地面に設けた不安定要素を構成する前述の突子により傾斜角θ２と傾斜角θ３を形成する形状を示す図である。
【図７】図７は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面に設けた不安定要素を構成する略Ｓ字形の突条体ＳＴ及び不安定要素を構成する突子ＴＭ７と突子ＴＨ８と突子ＴＬ６と突子ＴＬ５の形状と足骨ＢＳとの位置関係を靴の前方から見た図で、部分拡大図Ｂは靴のアウトソ−ルＳＳの接地面に設けた不安定要素を構成する前述の突子により傾斜角θ４と傾斜角θ５を形成する形状を示す図である。
【図８】図８は、足骨ＢＳが形成する３つのアーチを示す図で、内足側の縦のアーチＡＴＮと外足側の縦のアーチＡＴＳ及び中足骨ＢＴＫの前部が形成する横のアーチＡＹ３と中足骨ＢＴＫの後部が形成する横のアーチＡＹ２及び楔状骨Ｂ４と立方骨Ｂ６が形成する横のアーチＡＹ１を示す図である。
【図９】図９は、足骨ＢＳが形成する３つのアーチを足の甲側と側面側から支える主要な筋肉を示す図である。
【図１０】図１０は、足骨ＢＳが形成する３つのアーチを足の裏面から支える主要な筋肉を示す図である。
【図１１】図１１は、脚部の筋肉群を示す図である。
【図１２】図１２は、足首の内返しと外返しの許容傾斜角度を示す図である。
【図１３】図１３は、正常な足と偏平足の形状を示す図である。
【図１４】図１４は、脊柱起立筋を示す図である。
【図１５】図１５は、舟状骨の下降に起因する骨格の変形を示す図である。
【図１６】図１６は、足首と足骨及び足裏の各部の名称を示す図である。
【図１７】図１７の（Ａ）図には、先行特許文献１に示されている図を示し、図１７の（Ｂ）図には、先行特許文献２に示されている図を示す図である。
【考案を実施するための形態】
【００４６】
以下図面に基ずき、本考案の実施の一形態を説明する
【００４７】
図１と図２及び図３に示すように、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、踵ＦＮ１の内足側の土踏まずＦＮ３に近い部位を起点として、踵ＦＮ１の後方の部位を経て、踵ＦＮ１から第五足指ＦＦ５の根元の小指球ＦＮ６に至る外足側の足刀部ＦＮ２を経て、さらに小指球ＦＮ６と指尖球ＦＮ５と母指球ＦＮ４を結ぶ部位を経て、第一足指ＦＦ１と第二足指ＦＦ２の間の部位を終点とする正常な歩行時の体重移動と重心の移動の経路に沿って靴の不安定要素を構成する略Ｓ字形の突条体ＳＴを備えており、そして、図３及び図４及び図１６に示すように、この靴の不安定要素を構成する略Ｓ字形の突条体ＳＴの起点とした踵ＦＮ１の内足側の土踏まずＦＮ３に近い部位に突子ＴＭ１と、踵ＦＮ１の後方の部位に突子ＴＨ２を設け、そして踵ＦＮ１から第五足指ＦＦ５の根元の小指球ＦＮ６に至る外足側の足刀部ＦＮ２の踵ＦＮ１に近い部位には突子ＴＬ３を設けてさらに、足刀部ＦＮ２の小指球ＦＮ６に近い部位にＴＬ４を設けて、小指球ＦＮ６の部位には突子ＴＬ５を設けさらに指尖球ＦＮ５の部位に突子ＴＬ６と母指球ＦＮ４の部位に突子ＴＭ７を設けて、靴の不安定要素を構成する略Ｓ字形の突条体ＳＴの終点とした第一足指ＦＦ１と第二足指ＦＦ２の間の部位に、突子ＴＨ８を設けた構造は、突子ＴＨ２と突子ＴＨ７は高さが高く、靴の不安定要素を構成しており、突子ＴＭ１と突子ＴＭ７は足首が内足側に傾斜するときの傾斜止めの機能を有し、図５と図６の拡大図（Ａ）及び図７の拡大図（Ｂ）に示すように、その傾斜角度を傾斜角θ２及び傾斜角θ５に留まり、そして、突子ＴＬ３と突子ＴＬ４と突子ＴＬ５は足首が外足側に傾斜するときの傾斜止めの機能を有し、図５と図６の拡大図（Ａ）及び図７の拡大図（Ｂ）に示すように、その傾斜角度を傾斜角θ３及び傾斜角θ４に留まり、図１２に示す足首の許容傾斜角度を超えない様にして、足首の安全性を保つことが出来る構造を有している足ＡＳと下肢ＫＳと体幹ＴＫを連続して鍛えるための健康靴である。
【実施形態の効果】
【００４８】
本考案の、実施の一形態の効果として、  実施の一形態では、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴は、常に坂道を登坂する歩行運動と同じ状態を形成して、踵ＦＮ１が地面に接地する瞬間の踵接地期には、足首を甲側に反る伸展または背屈に関与する前脛骨筋Ｍ３と長趾伸筋Ｍ１０と長母趾伸筋Ｍ２８および、足首を足の裏ＡＵ側に反る屈曲または底屈に関与するヒラメ筋Ｍ１６と腓腹筋Ｍ１４と長腓骨筋Ｍ１２等の弛緩と収縮を連続して強化ができることと、立脚相の蹴出期には長母趾屈筋Ｍ２１と長趾屈筋Ｍ２７等の弛緩と収縮を連続して強化ができることから、内足側の縦のアーチＡＴＮの土踏まずＦＮ３の頂点にあって要となっている舟状骨Ｂ５を真下から支えている長母趾屈筋Ｍ２１と、短趾屈筋Ｍ２７及び、この舟状骨Ｂ５を上に引き上げている前脛骨筋Ｍ３と後脛骨筋Ｍ２０の４つの筋肉を連続して鍛えることができるので、舟状骨の健全で正常な位置を保持することに関与する筋肉群を鍛えることができるという利点がある。
【００４９】
さらに、本考案の、実施の一形態の効果として、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、靴の不安定要素を構成する略Ｓ字形の突条体ＳＴの起点とした踵ＦＮ１の内足側の土踏まずＦＮ３に近い部位に突子ＴＭ１と、踵ＦＮ１の後方の部位に突子ＴＨ２を設けそして踵ＦＮ１から第五足指ＦＦ５の根元の小指球ＦＮ６に至る外足側の足刀部ＦＮ２の踵ＦＮ１に近い部位には突子ＴＬ３を設けてさらに、足刀部ＦＮ２の小指球ＦＮ６に近い部位にＴＬ４を設けて小指球ＦＮ６の部位には突子ＴＬ５を設け、さらに指尖球ＦＮ５の部位に突子ＴＬ６と母指球ＦＮ４の部位に突子ＴＭ７を設けて、靴の不安定要素を構成する略Ｓ字形の突条体ＳＴの終点とした第一足指ＦＦ１と第二足指ＦＦ２の間の部位には突子ＴＨ８を設けた構造は、突子ＴＨ２と突子ＴＨ７は高さが高く、靴の不安定要素を構成しており、突子ＴＭ１と突子ＴＭ７は足首が内足側に傾斜するときの傾斜止めの機能を有し、図５と図６の拡大図（Ａ）及び図７の拡大図（Ｂ）に示すように、その傾斜角度を傾斜角θ２及び傾斜角θ５に留まるので、図１２に示す足首が内足側に傾いて外足側が開く外返しＳＧの許容傾斜角度を超えないように足首の傾斜角度を保ち、そして、突子ＴＬ３と突子ＴＬ４と突子ＴＬ５は足首が外足側に傾斜するときの傾斜止めの機能を有し、図６の拡大図（Ａ）及び図７の拡大図（Ｂ）に示すように、その傾斜角度を傾斜角θ３及び傾斜角θ４に留まるので図１２に示す、足首が外足側に傾いて内足側が開く内返しＵＧの許容傾斜角度を超えないようにして、足首の安全な傾斜角度を保つことができて、連続して足ＡＳと下肢ＫＳ体幹ＴＫを鍛えることが出来る健康靴は、内返し、または、外返しの許容傾斜角度まで足首が傾斜するので、足の裏ＡＵ全面が接地して、その上を重心と体重が移動してゆくときに外足側の小指外転筋ＭＧと、内足側の母指外転筋ＭＮが連続して鍛えることができて、そして、足ＡＳの爪先が地面から離れるまで足首の固定と安定が図れるという利点がある。
【００５０】
さらに、本考案の、実施の一形態の効果として、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴は、常に坂道を登坂する歩行運動と同じ状態を形成して、図１６に示す踵ＦＮ１が地面に接地する瞬間の踵接地期には、足首を甲側に反る伸展または背屈に関与する図１０に示す前脛骨筋Ｍ３と図９に示す長趾伸筋Ｍ１０と長母趾伸筋Ｍ２８および、足首を足の裏側に反る屈曲または底屈に関与する図１１に示すヒラメ筋Ｍ１６と腓腹筋Ｍ１４と長腓骨筋Ｍ１２を連続して鍛えることができることと、立脚相の蹴出期には図９に示す長母趾伸筋Ｍ２８と長趾伸筋Ｍ１０と図１０に示す長母趾屈筋Ｍ２１と短趾屈筋Ｍ２７を連続して鍛えることができることから、内足側の縦のア−チＡＴＮの土踏まずＦＮ３の頂点にあって要となっている舟状骨Ｂ５を真下から支えている長母趾屈筋Ｍ２１と、短趾屈筋Ｍ２７及び、この舟状骨Ｂ５を上に引き上げている前脛骨筋Ｍ３と後脛骨筋Ｍ２０の４つの筋肉を連続して鍛えることが出来るので、舟状骨の健全で正常な位置を保持して、健全な土踏まずＦＮ３が形成されるので正常な足ＴＡを形成することができるという利点がある。
【００５１】
さらに、靴のアウトソ−ルＳＳの接地面側に、靴の不安定要素を構成する略Ｓ字形の突条体ＳＴの起点とした踵ＦＮ１の内足側の土踏まずＦＮ３に近い部位に突子ＴＭ１と、踵ＦＮ１の後方の部位に突子ＴＨ２を設け、そして、踵ＦＮ１から第五足指ＦＦ５の根元の小指球ＦＮ６に至る外足側の足刀部ＦＮ２の踵ＦＮ１に近い部位に突子ＴＬ３を設けて、さらに、足刀部ＦＮ２の小指球ＦＮ６に近い部位にＴＬ４を設けて、小指球ＦＮ６の部位には突子ＴＬ５を設け、さらに指尖球ＦＮ５の部位に突子ＴＬ６と母指球ＦＮ４の部位に突子ＴＭ７を設けて、靴の不安定要素を構成する略Ｓ字形の突条体ＳＴの終点とした第一足指ＦＦ１と第二足指ＦＦ２の間の部位には突子ＴＨ８を設けた構造は、突子ＴＨ２と突子ＴＨ７は高さが高く、靴の不安定要素を構成しており、突子ＴＭ１と突子ＴＭ７は足首が内足側に傾斜するときの傾斜止めの機能を有し、図５と図６の拡大図（Ａ）及び図７の拡大図（Ｂ）に示すように、その傾斜角度を傾斜角θ２及び傾斜角θ５に留まるので、図１２に示す足首が内足側に傾いて外足側が開く外返しＳＧの許容傾斜角度を超えないように足首の傾斜角度を保ち、そして、突子ＴＬ３と突子ＴＬ４と突子ＴＬ５は足首が外足側に傾斜するときの傾斜止めの機能を有し、図６の拡大図（Ａ）及び図７の拡大図（Ｂ）に示すように、その傾斜角度を傾斜角θ３及び傾斜角θ４に留まるので、図１２に示す足首が外足側に傾いて内足側が開く内返しＵＧの許容傾斜角度を超えないようにして、足首の安全な傾斜角度を保つことができる連続して足ＡＳと下肢ＫＳ体幹ＴＫを鍛えることが出来る健康靴は、内返し、または、外返しの許容傾斜角度まで足首が傾斜するので、足の裏ＡＵ全面が接地して、その上を重心と体重が移動してゆくときに外足側の小指外転筋ＭＧと、内足側の母指外転筋ＭＮが連続して鍛えることができるので、足の爪先が地面から離れるまで足首の固定と安定が図れるので、足ＡＳと下肢ＫＳを健全化に導くことができ、土踏まずＦＮ３の健全化と足骨ＢＳの健全化と膝関節ＨＫの健全化と骨盤Ｂ１４の健全化により、脊柱Ｂ１６の形状の正常化と肩の平衡が維持されて、体幹ＴＫの正常化を図ることができるという利点がある。
【００５２】
以下図示しないが、本考案の実施の他の形態の其の一を説明する。
【００５３】
本考案の実施の一形態では、樹脂系の素材を用いて、靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴の接地面側に、靴の不安定要素を構成する略Ｓ字形の突条体ＳＴとともに、同じく靴の不安定要素を構成する突子ＴＭ１、突子ＴＨ２、突子ＴＬ３、突子ＴＬ４、突子ＴＬ５、突子ＴＬ６、突子ＴＭ７、突子ＴＨ８を成形しているものを、合成ゴム、又は天然ゴムを用いて、本考案の実施の一形態と同様の靴の不安定要素を成形してもよい。
【００５４】
本考案の、実施の他の形態の其の一の効果については、本考案の実施の一形態の効果と同一の利点にあるため説明は省略する。
【００５５】
以下図示しないが、本考案の実施の他の形態の其の二を説明する。
【００５６】
本考案の実施の一形態では、樹脂系の素材を用いて、そして、実施の他の形態の其の一では、合成ゴム、又は天然ゴムを用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴の接地面側に、靴の不安定要素を構成する略Ｓ字形の突条体ＳＴとともに、同じく靴の不安定要素を構成する突子ＴＭ１、突子ＴＨ２、突子ＴＬ３、突子ＴＬ４、突子ＴＬ５、突子ＴＬ６、突子ＴＭ７、突子ＴＨ８を成形しているものを、靴の不安定要素を構成する略Ｓ字形の突条体ＳＴと、同じく靴の不安定要素を構成する突子ＴＭ１、突子ＴＨ２、突子ＴＬ３、突子ＴＬ４、突子ＴＬ５、突子ＴＬ６、突子ＴＭ７、突子ＴＨ８とそれぞれの素材を、弾性値の異なる素材又は硬さの異なる素材を用いて、実施の一形態と同様な靴の不安定要素を成形してもよい。
【００５７】
本考案の、実施の他の形態の其の二の効果については、本考案の実施の一形態の効果と同一の利点にあるため説明は省略する。
【００５８】
以下図示しないが、本考案の実施の他の形態の其の三を説明する。
【００５９】
本考案の実施の一形態と実施の他の形態の其の一及び実施の他の形態の其の二において、本考案の足ＡＳと下肢ＫＳと体幹ＴＫを連続して鍛えることできる健康靴のアウトソ−ルＳＳの接地面側に備えている靴の不安定要素を構成する略Ｓ字形の突条体ＳＴとともに靴の不安定要素を構成する８つの突子の素材を、樹脂系の素材や合成ゴム又は天然ゴムの素材にしてその弾性値の異なる素材や又は硬さの異なる素材を用いて、靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴の接地面側に、靴の不安定要素を構成する略Ｓ字形の突条体ＳＴとともに、同じく靴の不安定要素を構成する突子ＴＭ１、突子ＴＨ２、突子ＴＬ３、突子ＴＬ４、突子ＴＬ５、突子ＴＬ６、突子ＴＭ７、突子ＴＨ８とそれぞれの素材は、本考案の足ＡＳと下肢ＫＳと体幹ＴＫを連続して鍛えることが出来る健康靴の用いる場所が、屋内の床面や、屋外の地面やコンクリ−ト面で用いる場合には、それぞれの使用場所に適した、耐摩耗性に優れた素材を用いて、実施の一形態と同様な靴の不安定要素を成形してもよい。
【００６０】
本考案の、実施の他の形態の其の三の効果については、本考案の実施の一形態の効果と同一の利点にあるため説明は省略する。
【符号の説明】
【００６１】
ＡＳ  足  足首から爪先までの部位
ＡＴＮ  内足側の縦のアーチＡＴＳ  外足側の縦のアーチ
ＡＹ１  楔状骨Ｂ４と立方骨Ｂ６を結ぶ横のアーチ
ＡＹ２  中足骨ＢＴＫの後部の横のアーチ
ＡＹ３  中足骨ＢＴＫの前部の横のアーチ
ＡＵ  足の裏
Ｂ１  踵骨
Ｂ２  距骨
Ｂ３  脛骨
Ｂ４  楔状骨
Ｂ５  舟状骨
Ｂ６  立方骨
Ｂ７  第一中足骨
Ｂ８  第二中足骨
Ｂ９  第三中足骨
Ｂ１０  第四中足骨
Ｂ１１  第五中足骨
Ｂ１２  腓骨
Ｂ１３  大腿骨
Ｂ１４  骨盤
Ｂ１５  鎖骨
Ｂ１６  脊柱
Ｂ１７  頸椎
Ｂ１８  肋骨
Ｂ１９  胸骨
ＢＳ  足骨
ＢＲ１  内足側の縦のアーチＡＴＮの下降。
ＢＲ２  内足側の縦のアーチＡＴＮの下降に伴う膝関節の内転ＨＲに伴う膝関節の下降。
ＢＲ３  膝関節の内転ＨＲに伴う骨盤の傾き
ＢＲ４  骨盤の傾きを調整するための肩の傾き
ＳＬ  骨格の中心線
ＢＫＫ  基節骨
ＢＭＫ  末節骨
ＢＴＫ  中足骨
ＦＦ１  第一足指
ＦＦ２  第二足指
ＦＦ３  第三足指
ＦＦ４  第四足指
ＦＦ５  第五足指
ＦＮ１  踵
ＦＮ２  足刀部
ＦＮ３  土踏まず
ＦＮ４  母指球
ＦＮ５  指尖球
ＦＮ６  小指球
ＨＡ  偏平足
ＨＲ  内足側の縦のアーチＡＴＮの下降に伴う膝関節の内転
ＨＫ  膝関節
ＫＳ  下肢  骨盤の下から足首までの部位
ＴＡ  正常な足
ＴＫ  体幹  首の下から骨盤までの部位
ＳＧ  外返し
ＵＧ  内返し
Ｍ１  アキレス腱
Ｍ２  小臀筋
Ｍ３  前脛骨筋
Ｍ４  大腿四頭筋
Ｍ５  大腿二頭筋
Ｍ６  大臀筋
Ｍ７  大内転筋
Ｍ８  薄筋
Ｍ９  中殿筋
Ｍ１０  長趾伸筋
Ｍ１１  長内転筋
Ｍ１２  長腓骨筋
Ｍ１３  腸腰筋
Ｍ１４  腓腹筋
Ｍ１５  短腓骨筋
Ｍ１６  ヒラメ筋
Ｍ１７  縫工筋
Ｍ１８  半腱様筋
Ｍ１９  大腿筋膜張筋
Ｍ２０  後脛骨筋
Ｍ２１  長母趾屈筋
Ｍ２２  脊柱起立筋
Ｍ２３  棘筋
Ｍ２４  最長筋
Ｍ２５  腸肋筋
Ｍ２６  短内転筋
Ｍ２７  短趾屈筋
Ｍ２８  長母趾伸筋
Ｍ２９  大腰筋
ＭＧ  小指外転筋
ＭＮ  母指外転筋
ＳＭ  靴のミッドソ−ル
ＳＳ  靴のアウトソ−ル
ＳＴ  靴のアウトソ−ルに設けた靴の不安定要素を構成する略Ｓ字形の突条体
ＴＨ２  靴の不安定要素を構成する略Ｓ字形の突条体ＳＴとともに靴の不安定要素を構成する突子で、靴の不安定要素を構成する略Ｓ字形の突条体ＳＴより高さが有あり、踵ＦＮ１の後方の部位に設けた突子で突子ＴＨ８と同じ高さの突子。
ＴＨ８  靴の不安定要素を構成する略Ｓ字形の突条体ＳＴとともに靴の不安定要素を構成する突子で、靴の不安定要素を構成する略Ｓ字形の突条体ＳＴより高さが有あり、第一足指ＦＦ１と第二足指ＦＦ２の間の部位に設けた突子で突子ＴＨ２と同じ高さの突子。
ＴＭ１  靴の不安定要素を構成する略Ｓ字形の突条体ＳＴとともに靴の不安定要素を構成する突子で、靴の不安定要素を構成する略Ｓ字形の突条体ＳＴより高さが有あり、突子ＴＨ２及び突子ＴＨ８より高さが低い突子で、踵ＦＮ１の内足側の部位に設けた突子。高さはＴＭ７と同じ高さの突子。
ＴＭ７  靴の不安定要素を構成する略Ｓ字形の突条体ＳＴとともに靴の不安定要素を構成する突子で、靴の不安定要素を構成する略Ｓ字形の突条体ＳＴより高さが有あり、突子ＴＨ２及びＴＨ８より高さが低い突子で、母指球ＦＮ４の部位に設けた突子。高さは突子ＴＭ１と同じ高さの突子。
ＴＬ３  靴の不安定要素を構成する略Ｓ字形の突条体ＳＴとともに靴の不安定要素を構成する突子で、靴の不安定要素を構成する略Ｓ字形の突条体ＳＴより高さが有あり、突子ＴＨ２及びＴＨ８より高さが低くかつ、突子ＴＭ１及びＴＭ７よりも高さが低い突子で、足刀部ＦＮ２の踵側の部位に設けた突子。高さは突子ＴＬ４と突子ＴＬ５及びＴＬ６と同じ高さの突子。
ＴＬ４  靴の不安定要素を構成する略Ｓ字形の突条体ＳＴとともに靴の不安定要素を構成する突子で、靴の不安定要素を構成する略Ｓ字形の突条体ＳＴより高さが有あり、突子ＴＨ２及びＴＨ８より高さが低くかつ、突子ＴＭ１及びＴＭ７よりも高さが低い突子で、足刀部ＦＮ２の第五足指ＦＦ５側の部位に設けた突子。高さは突子ＴＬ３と突子ＴＬ５及びＴＬ６と同じ高さの突子。
ＴＬ５  靴の不安定要素を構成する略Ｓ字形の突条体ＳＴとともに靴の不安定要素を構成する突子で、靴の不安定要素を構成する略Ｓ字形の突条体ＳＴより高さが有あり、突子ＴＨ２及び突子ＴＨ８より高さが低くかつ、突子ＴＭ１及び突子ＴＭ７よりも高さが低い突子で、小指球ＦＮ６の部位に設けた突子。高さは突子ＴＬ３と突子ＴＬ４及びＴＬ６と同じ高さの突子。
ＴＬ６  靴の不安定要素を構成する略Ｓ字形の突条体ＳＴとともに靴の不安定要素を構成する突子で、靴の不安定要素を構成する略Ｓ字形の突条体ＳＴより高さが有あり、突子ＴＨ２及び突子ＴＨ８より高さが低くかつ、突子ＴＭ１及びＴＭ７よりも高さが低い突子で、指尖球ＦＮ５の部位に設けた突子。高さは突子ＴＬ３と突子ＴＬ４及びＴＬ５と同じ高さの突子。
θ１  靴のアウトソ−ルＳＳの素材を踵ＦＮ１から爪先に向けて徐々に厚くなるようにして、靴のミッドソ−ルＳＭとの接着面側と接地面側との間に設けた角度
θ２  足の踵ＦＮ１の後方設けた突子ＴＨ２と、踵ＦＮ１の前方の内足側に設けた突子ＴＭ１の高低差により形成される角度（θ５と同じ角度で安全域の１５度）
θ３  足の踵ＦＮ１の後方設けた突子ＴＨ２と、足刀部ＦＮ２の踵側に設けた突子ＴＬ３との間の高低差により形成される角度（θ４と同じ角度で安全域は２０度）
θ４  第一足指ＦＦ１と第二足指ＦＦ２の間の部位に設けた突子ＴＨ８と小指球ＦＮ６の部位に設けた突子ＴＬ５との間の高低差により形成される角度（θ３と同じ角度で安全域は２０度）
θ５  第一足指ＦＦ１と第二足指ＦＦ２の間の部位に設けた突子ＴＨ８と母指球ＦＮ４の部位に設けた突子ＴＭ７との間の高低差により形成される角度（θ２と同じ角度で安全域は１５度）
【図１】
0003220169.tif 000003
【図２】
0003220169.tif 000004
【図３】
0003220169.tif 000005
【図４】
0003220169.tif 000006
【図５】
0003220169.tif 000007
【図６】
0003220169.tif 000008
【図７】
0003220169.tif 000009
【図８】
0003220169.tif 000010
【図９】
0003220169.tif 000011
【図１０】
0003220169.tif 000012
【図１１】
0003220169.tif 000013
【図１２】
0003220169.tif 000014
【図１３】
0003220169.tif 000015
【図１４】
0003220169.tif 000016
【図１５】
0003220169.tif 000017
【図１６】
0003220169.tif 000018
【図１７】
0003220169.tif 000019
【手続補正書】
【提出日】平成30年11月8日(2018.11.8)
【手続補正１】
【補正対象書類名】実用新案登録請求の範囲
【補正対象項目名】全文
【補正方法】変更
【補正の内容】
【実用新案登録請求の範囲】
【請求項１】
樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有することを特徴とする、連続して足ＡＳと下肢ＫＳと体幹ＴＫを鍛えることができる健康靴。
【請求項２】
樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、踵ＦＮ１の内足側の土踏まずＦＮ３に近い部位を起点として、踵ＦＮ１の後方の部位を通り踵ＦＮ１から第五足指ＦＦ５の根元の小指球ＦＮ６に至る外足側の足刀部ＦＮ２を通り、さらに小指球ＦＮ６と指尖球ＦＮ５と母指球ＦＮ４を結ぶ部位を通り、第一足指ＦＦ１と第二足指ＦＦ２の間の部位を終点とする靴の不安定要素を構成する略Ｓ字形の突条体ＳＴを備えていることを特徴とする、請求項１の連続して足ＡＳと下肢ＫＳと体幹ＴＫを鍛えることができる健康靴。
【請求項３】
樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、踵ＦＮ１の内足側の土踏まずＦＮ３に近い部位を起点として、踵ＦＮ１の後方の部位を経て、踵ＦＮ１から第五足指ＦＦ５の根元の小指球ＦＮ６に至る外足側の足刀部ＦＮ２を経て、さらに小指球ＦＮ６と指尖球ＦＮ５と母指球ＦＮ４を結ぶ部位を経て、第一足指ＦＦ１と第二足指ＦＦ２の間の部位を終点とする、正常な歩行時の体重移動と重心の移動の経路に沿って靴の不安定要素を構成する略Ｓ字形の突条体ＳＴを備えており、そして、この靴の不安定要素を構成する略Ｓ字形の突条体ＳＴの起点とした踵ＦＮ１の内足側の土踏まずＦＮ３に近い部位に突子ＴＭ１と、踵ＦＮ１の後方の部位に突子ＴＨ２を設けて、そして踵ＦＮ１から第五足指ＦＦ５の根元の小指球ＦＮ６に至る外足側の足刀部ＦＮ２の踵ＦＮ１に近い部位に突子ＴＬ３を設けて、さらに、足刀部ＦＮ２の小指球ＦＮ６に近い部位にＴＬ４を設けて、小指球ＦＮ６の部位には突子ＴＬ５を設けて、さらに、指尖球ＦＮ５の部位に突子ＴＬ６と母指球ＦＮ４の部位に突子ＴＭ７を設けて、靴の不安定要素を構成する略Ｓ字形の突条体ＳＴの終点とした第一足指ＦＦ１と第二足指ＦＦ２の間の部位に、突子ＴＨ８を設けた構造は、突子ＴＨ２と突子ＴＨ７は高さが高く、靴の不安定要素を構成する略Ｓ字形の突条体ＳＴとともに、靴の不安定要素を構成しつつも、突子ＴＭ１と突子ＴＭ７は足首が内足側に傾斜するときの傾斜止めの機能を有し、その傾斜角度を傾斜角θ２及び傾斜角θ５に留まり、そして、突子ＴＬ３と突子ＴＬ４と突子ＴＬ５は足首が外足側に傾斜するときの傾斜止めの機能を有し、その傾斜角度を傾斜角θ３及び傾斜角θ４に留まるその構造は、略Ｓ字形の突条体と８つの突子からなる靴の不安定要素を備えている靴のアウトソ−ルＳＳの接地面が、水平な床面または、水平な地面に対して平行な状態、すなわち水平な状態に於いて、踵ＦＮ１の後方に位置する突子ＴＨ２が靴のアウトソ−ルＳＳの接地面側に接着する面ＡＳＭ２の中心点ＳＰ２と、突子ＴＨ２の接地する側の先端の中心点とを結ぶ垂線が、水平な床面又は、水平な地面と交わる点を交点ＴＰ２として、さらに第一足指ＦＦ１と第二足指ＦＦ２の間に位置する突子ＴＨ８が靴のアウトソ−ルＳＳの接地面側に接着する面ＡＳＭ８の中心点ＳＰ８と、突子ＴＨ８の接地する側の先端の中心点とを結ぶ垂線が、水平な床面又は、水平な地面と交わる点を交点ＴＰ８として、この交点ＴＰ８と交点ＴＰ２を結ぶ線分をＬ１として、この線分Ｌ１に対して、内足側の突子ＴＭ１の接地面側の先端の中心点ＴＰ１からの垂線を線分Ｌ２として、この線分Ｌ２が、水平な床面または水平な地面と交わる点を交点ＫＰ１としてこの交点ＫＰ１から線分Ｌ１と直交する線分をＬ３として、この線分Ｌ３と線分Ｌ１との交点をＫＰ２として、この交点ＫＰ２と突子ＴＭ１の接地面側の先端の中心点ＴＰ１を結ぶ線分をＬ４として、交点ＫＰ２を頂点とする線分Ｌ３と線分Ｌ４が形成する角度をθ２として、その角度が１５度になるように設定して、足首が内足側に傾斜するときの足首の許容傾斜角度２０度を越えないように、突子ＴＭ１に傾斜止めの機能をもたせ、そして線分Ｌ１に対して、内足側の突子ＴＭ７の接地面側の先端の中心点ＴＰ７からの垂線を線分Ｌ１４として、この線分Ｌ１４が、水平な床面または水平な地面と交わる点を交点ＫＰ９してこの交点ＫＰ９から線分Ｌ１と直交する線分をＬ１５として、この線分Ｌ１５と線分Ｌ１との交点をＫＰ１０として、この交点ＫＰ１０と突子ＴＭ７の接地面側の先端の中心点ＴＰ７を結ぶ線分をＬ１６として、交点ＫＰ１０を頂点とする線分Ｌ１５と線分Ｌ１６が形成する角度をθ５として、その角度が１５度になるように設定して、足首が内足側に傾斜するときの足首の許容傾斜角度２０度を越えないように、突子ＴＭ７に傾斜止めの機能をもたせ、そして線分Ｌ１に対して、外足側の突子ＴＬ３の接地面側の先端の中心点ＴＰ３からの垂線を線分Ｌ５として、この線分Ｌ５が、水平な床面または水平な地面と交わる点を交点ＫＰ３としてこの交点ＫＰ３から線分Ｌ１と直交する線分をＬ６として、この線分Ｌ６と線分Ｌ１との交点をＫＰ４として、この交点ＫＰ４と突子ＴＬ３の接地面側の先端の中心点ＴＰ３を結ぶ線分をＬ７として、交点ＫＰ４を頂点とする線分Ｌ６と線分Ｌ７が形成する角度をθ３として、その角度が２０度になるように設定して、足首が外足側に傾斜するときの足首の許容傾斜角度３０度を越えないように、突子ＴＬ３に傾斜止めの機能をもたせ、そして線分Ｌ１に対して、外足側の突子ＴＬ４の接地面側の先端の中心点ＴＰ４からの垂線を線分Ｌ８として、この線分Ｌ８が、水平な床面または水平な地面と交わる点を交点ＫＰ５としてこの交点ＫＰ５から線分Ｌ１と直交する線分をＬ９として、この線分Ｌ９と線分Ｌ１との交点をＫＰ６として、この交点ＫＰ６と突子ＴＬ４の接地面側の先端の中心点ＴＰ４を結ぶ線分をＬ１０として、交点ＫＰ６を頂点とする線分Ｌ９と線分Ｌ１０が形成する角度をθ３及びθ４と同じ角度の２０度になるように設定して、足首が外足側に傾斜するときの足首の許容傾斜角度３０度を越えないように、突子ＴＬ４に傾斜止めの機能をもたせ、そして線分Ｌ１に対して、外足側の突子ＴＬ５の接地面側の先端の中心点ＴＰ５からの垂線を線分Ｌ１１として、この線分Ｌ１１が、水平な床面または水平な地面と交わる点を交点ＫＰ７としてこの交点ＫＰ７から線分Ｌ１と直交する線分をＬ１２として、この線分Ｌ１２と線分Ｌ１との交点をＫＰ８として、この交点ＫＰ８と突子ＴＬ５の接地面側の先端の中心点ＴＰ５を結ぶ線分をＬ１３として、交点ＫＰ８を頂点とする線分Ｌ１２と線分Ｌ１３が形成する角度をθ４として、その角度が２０度になるように設定して、足首が外足側に傾斜するときの足首の許容傾斜角度３０度を越えないように、突子ＴＬ５に傾斜止めの機能をもたせることにより、足首の許容傾斜角度を超えない構造を有し、足首の安全性を保つことが出来ることを特徴とする、請求項１の連続して足ＡＳと下肢ＫＳと体幹ＴＫを鍛えることができる健康靴。
【手続補正２】
【補正対象書類名】明細書
【補正対象項目名】全文
【補正方法】変更
【補正の内容】
【考案の詳細な説明】
【技術分野】
【０００１】
本考案は、足と下肢と体幹を鍛える健康靴の形状に関する。
【背景技術】
【０００２】
頭部の重さが体重の１０パーセント程になり、図１５に示す骨盤Ｂ１４のあたりに体の重心を持つ人間の２足歩行の本質は、体重と重心を移動しながら、不安定なバランスを連続して回復して行く全身運動と言われる。
【０００３】
それは、前後に、また左右に倒れないように、そして上下に移動する重心にも対応するため、図９と図１０に示す足ＡＳの筋肉群、図１１に示す下肢ＫＳの筋肉群、図１４と図１５に示す体幹ＴＫの筋肉群など足先から首までの筋肉群が歩行運動に関与していることにある。
【０００４】
そして、歩行の周期は、図１６に示す片方の足の踵ＦＮ１が地面に接地して、同じ側の足の踵ＦＮ１が再び接地するまでをいう。
【０００５】
更に歩行運動は、立脚相と遊脚相からなり、立脚相は、踵ＦＮ１が地面に接地する瞬間の踵接地期、図３と図１６に示す足の裏ＡＵ全面が接地している瞬間の足底接地期、そしてその接地している足ＡＳの真上を重心と体重が移動している立脚中期、さらにその足ＡＳの爪先が地面から離れる瞬間の蹴出期までをいい、遊脚相は、図１５に示す足ＡＳの爪先が地面を蹴り出して、爪先が地面から離れる瞬間の加速期、地面を蹴り出した足ＡＳの膝関節ＨＫが、反対側の下肢ＫＳの前方に超えて出て、その足ＡＳの下肢ＫＳが垂直になる瞬間の遊脚中期、そしてその足ＡＳの踵ＦＮ１が再び地面に接地する減速期までとされる。
【０００６】
一方、体重と重心の移動は、踵ＦＮ１が地面に接地する瞬間は体重と重心ともに０パーセントから２５パ−セントの移動が行われ、足の裏ＡＵ全体が接地して足ＡＳの真上を体重が移動している瞬間は２５パ−セントから７５パ−セントの移動が行われ、そして踵に次いで、爪先が地面から離れる瞬間の踵離期と加速期には７５パ−セントから１００パ−セントが移動する。
【０００７】
そして、歩行運動に関与する筋肉群は、歩行周期の全般を通して図１５に示す体幹ＴＫの前屈のために図１４に示す脊柱起立筋Ｍ２２と図１１に示す前脛骨筋Ｍ３が関与する。特に、脊柱起立筋Ｍ２２は重心と体重が左右の足ＡＳ間で移動する立脚相後期と遊脚相の前期に、弛緩と収縮をして体幹ＴＫの平衡状態の維持に重要である。また立脚相全般を通して、体幹ＴＫの前屈のために図１４に示す脊柱起立筋Ｍ２２と図１１に示す腓腹筋Ｍ１４とヒラメ筋Ｍ１６と、その下部のアキレス腱Ｍ１が関与する。そして遊脚相全般を通して、足関節の背屈位の保持のために図１１に示す大腿二頭筋Ｍ５が関与する。
【０００８】
歩行周期のうち、立脚相前期には図１５に示す骨盤Ｂ１４の下降を予防し、骨盤Ｂ１４の安定のために図１１に示す大内転筋Ｍ７と短内転筋Ｍ２６と薄筋Ｍ８と長内転筋Ｍ１１と大腿筋膜張筋Ｍ１９と大臀筋Ｍ６と中臀筋Ｍ９と小臀筋Ｍ２と大腿四頭筋Ｍ４と大腿二頭筋Ｍ５と前脛骨筋Ｍ３とヒラメ筋Ｍ１６と腓腹筋Ｍ１４と後脛骨筋Ｍ２０が関与する。また立脚相後期と踵接地期には、足関節の固定と膝折れを防ぐために、図１１に示す大腿四頭筋Ｍ４と大腿二頭筋Ｍ５と腓腹筋Ｍ１４と長腓骨筋Ｍ１２と短腓骨筋Ｍ１５とヒラメ筋Ｍ１６と後脛骨筋Ｍ２０が関与する。
【０００９】
そして、遊脚相前期には図１５に示す骨盤Ｂ１４の安定のために図１１に示す腸腰筋Ｍ１３と大内転筋Ｍ７と薄筋Ｍ８と長内転筋Ｍ１１と短内転筋Ｍ２６とが関与し、足関節ＨＫの背屈位の保持のために大腿二頭筋Ｍ５が関与する。遊脚相後期と減速期には、骨盤Ｂ１４の下降予防と足関節ＨＫの固定のために、大臀筋Ｍ６と大腿二頭筋Ｍ５と腸腰筋Ｍ１３と大腰筋Ｍ２９と大腿四頭筋Ｍ４関与する。
【００１０】
一方、成人の骨は概ね２０６ケ有り、そのうち図１６に示すように、足骨ＢＳは距骨Ｂ２と舟状骨Ｂ５と立方骨Ｂ６と踵骨Ｂ１と楔状骨Ｂ４と中足骨ＢＴＫと基節骨ＢＫＫと末節骨ＢＭＫからなり、踵骨Ｂ１の上には距骨Ｂ２が位置し、その上に脛骨Ｂ３と腓骨Ｂ１２からなる関節を形成しており、歩行運動時の体重を大腿骨Ｂ１３と脛骨Ｂ３と腓骨Ｂ１２とその下の距骨Ｂ２とその他の足骨ＢＳで受け止めて、体重と重心の移動を円骨に進めるように足首の安定を維持している。
【００１１】
足首は、機能の異なる骨からなる距腿関節、距踵関節、踵立方関節、距舟関節の４つの関節構造を持つ。
【００１２】
そして、足首には外足側に９つの靭帯と、内足側には５つの靭帯があり、骨と関節を結合して足首の安定を支持している。
【００１３】
足首の運動のうち、足ＡＳの甲側に反る伸展または背屈には、図１０に示す前脛骨筋Ｍ３と図９に示す長趾伸筋Ｍ１０と長母趾伸筋Ｍ２８が関与する。そして足首を足ＡＳの裏側に反る屈曲または底屈には、図１１に示すヒラメ筋Ｍ１６と腓腹筋Ｍ１４と長腓骨筋Ｍ１２及び図１０に示す長母趾屈筋Ｍ２１と短趾屈筋Ｍ２７が関与する。
【００１４】
足首の運動の許容傾斜角度については図１１に示す腓骨Ｂ１２を基軸に足首を足ＡＳの甲側に反る伸展または背屈の許容傾斜角度は２０度から３０度ほどで、安全域は２５度程度で、また足の裏ＡＵ側に反る屈曲また底屈の許容傾斜角度は３０度から５０度で、安全域は４０度ほど。
【００１５】
下腿軸への垂直線を基軸に、図１２に示すように足首が内足側に傾き外足側が開く外返しＳＧの許容傾斜角度は２０度で、安全域は１５度ほど、また足首が外足側に傾き内足側が開く内返しＵＧの許容傾斜角度は３０度で、安全域は２０度ほど。
【００１６】
図１６に示すように、踵ＦＮ１と第一足指ＦＦ１と第二足指ＦＦ２と踵ＦＮ１の間を結ぶ線を基軸に、足首を第一足指ＦＦ１側に回転する内転の許容傾斜角度は１５度から２５度で、安全域は２０度程度、そして足首を第五足指ＦＦ５側に回転する外転の許容傾斜角度は５度から１５度ほどで、安全域は１０度ほど。
【００１７】
足首の許容傾斜角度を超えると捻挫の障害をおこす。捻挫の中でも内反捻挫が大部分を占める。これらの障害を予防するためには、足首の筋肉群を鍛え、かつ歩行中や運動中に、足首の許容傾斜角度を意識して、安全域を超えないようにすることが大切である。
【００１８】
体重の移動が、図３と図４及び図１６に示す踵ＦＮ１から足刀部ＦＮ２に移動して小指球ＦＮ６に抜けてから指尖球ＦＮ５に、そして母指球ＦＮ４にと移動して行くとき、その体重が足骨ＢＳの第五中足骨Ｂ１１の前部から第四中足骨Ｂ１０の前部にと移動して、そして、第三中足骨Ｂ９の前部に移動してから第二中足骨Ｂ８の前部に移動して第一中足骨Ｂ７にと順に、しかも瞬時に移動するとき、図９に示す外足側の小指外転筋ＭＧと内足側の母指外転筋ＭＮがバネのように徐々に収縮してゆくが、全部の中足骨ＢＴＫが着地するまでには、小指外転筋ＭＧと母指外転筋ＭＮの収縮により、第一足指ＦＦ１と第五足指ＦＦ５が外側に広がって、足首を安定させて重心の移動も体重の移動も円滑に進む。
【００１９】
また、足ＡＳには図８に示すように骨と関節からなる３つのアーチの構造を持つ。１つは踵ＦＮ１から第五足指ＦＦ５を結ぶ外足側の縦のアーチでＡＴＳが有り、そして、２つ目は踵ＦＮ１から第一足指ＦＦ１の付け根の母指球ＦＮ４を結ぶ内足側の縦のアーチＡＴＮがある。そして、３つ目は、楔状骨Ｂ４及び中足骨ＢＴＫを、内足側から外足側までを結ぶ横のアーチが有り、中足骨ＢＴＫの前部の横のアーチＡＹ３と中足骨ＢＴＫの後部の横のアーチＡＹ２及び、内足側の楔状骨Ｂ４から外足側の立方骨Ｂ６を結ぶ横のアーチＡＹ１で構成されている。
【００２０】
これらの３つのアーチは、図１６に示す足の裏ＡＵの形が、お椀を逆さにして地面に伏せたような形状でバネのような機能を持っており、上半身を側面から見た脊柱のＳ字型弯曲構造とともに、体と頭部が受ける衝撃を緩和する機能を担っている。
【００２１】
このうち、図８及び図１６に示すように、内足側の縦アーチＡＴＮは土踏まずＦＮ３を形成しており、この土踏まずＦＮ３の頂点にあって要となるのが舟状骨Ｂ５で、体重を支えることと、足の蹴り出しの際に重要な骨である。
【００２２】
この舟状骨Ｂ５を真下から支えているのが第一足指ＦＦ１の運動に関与する図１０の（Ａ）に示す長母趾屈筋Ｍ２１と、残りの４本の指の運動に関与する短趾屈筋Ｍ２７で、足底のクッションの働きをする。
【００２３】
また、この舟状骨Ｂ５を上に引き上げているのが図１０の（Ｂ）に示すように、前脛骨筋Ｍ３と後脛骨筋Ｍ２０で、舟状骨を真下から支えている長母趾屈筋Ｍ２１と短趾屈筋Ｍ２７とともに、この４つの筋肉がバランス良く働いていると図１３に示すように正常な土踏まずＦＮ３が形成されて正常な足ＴＡを形成するが、これらの筋肉が緩んで筋力を失うと、舟状骨Ｂ５が下降してしまい内足側の縦のアーチＡＴＮが崩れて偏平足ＨＡになることが知られている。
【００２４】
図１３に示すように偏平足ＨＡになると、体重が下降した土踏まずＦＮ３にかかる結果、下降した土踏まずＦＮ３の上を体重と重心が移動するので、足ＡＳの甲がつぶれて広がり、図１６に示す第一足指ＦＦ１と第二足指ＦＦ２の間が横に広がるので第一足指ＦＦ１の付け根と第一中足骨Ｂ７が内足側に折れて、“く”の字を描くように変形する。
これが外反母趾である。先が細く幅の狭い靴を履くと、突き出た第一中足指ＦＦ１の付け根が靴に当たり痛みを伴う。
【００２５】
足ＡＳの甲がつぶれると、図８に示す内足側の縦のアーチＡＴＮが崩れて、図１６に示す土踏まずＦＮ３が沈み込むので足ＡＳの甲が図１５に示すように下降ＢＲ１するので、足首は内足側に捻じれてしまい、膝関節ＨＫも内足側に向いて大腿骨Ｂ１３と脛骨Ｂ３が内側向きに、“く”の字を描くような形状になり、股関節ＨＫの内転ＨＲが生じる結果、左足を例にすると、右側の脚全体の長さに比較して、左側の脚全体の長さが相対的に短くなるので、膝関節ＨＫが下降ＢＲ２して、図１５に示すように、骨盤Ｂ１４が左側に傾きＢＲ３が生じて、頭部の平衡を保つために、図１５に示すように左肩が上がり右肩が下がるような肩の傾きＢＲ４が日常化して骨格の中心線ＳＬに対して、脊柱Ｂ１６が弯曲する要因になる。
【００２６】
そして、土踏まずＦＮ３が下降して偏平足ＨＡになると、足骨ＢＳの変形と膝関節ＨＫの捻じれと骨盤Ｂ１４の傾きなどの骨格の変形等を生じる結果、足の関節痛や腰痛や肩凝りを引き起こす原因にもなっていることが知られる。
【００２７】
以上により、正しい歩行運動により足ＡＳの３つのアーチを健全に維持することと、足ＡＳの３つのアーチが崩れないように予防すること、又は崩れつつある足ＡＳの３つのアーチを健全に戻すことも大切である。
【００２８】
正しい歩行運動では、体重と重心の移動は、図３及び図１０に示すように踵ＦＮ１の真中から足刀部ＦＮ２を抜け、第五足指ＦＦ５の付け根の小指球ＦＮ６と指尖球ＦＮ５と母指球ＦＮ４を結ぶ部位を瞬時に抜け、第一足指ＦＦ１と第二足指ＦＦ２の間の部位を抜けて行く経路で移動するので、特定のアーチにのみ負荷がかかること無く、３つのアーチで負荷を分散している。
【００２９】
歩行運動全般では、図１４に示す脊柱起立筋Ｍ２２と、図１１に示す大臀筋Ｍ６と中臀筋Ｍ９が関与しており、大臀筋Ｍ６は大きな筋肉で首から下肢ＫＳに渡るすべての筋肉運動に関与しており、大臀筋Ｍ６が弱ると、他の筋肉が補完することになるので、筋肉痛や疲労感を増すこととなり、腰痛などを感ずる時も大臀筋Ｍ６の衰えが考えられる。また、中臀筋Ｍ９は身体のバランスをとる筋肉で、衰えると歩行中や立ち上がる姿勢を取るときのバランスが取り難くなる。
【００３０】
また、大臀筋Ｍ６と中殿筋Ｍ９と小臀筋Ｍ２は骨盤Ｂ１４を正常位置に支えるとともに、肛門や尿道の括約筋の収縮にも関与している。そして臀筋群は骨盤Ｂ１４が前後、左右にずれないように位置の安定に関与しており、骨盤Ｂ１４の位置がずれると骨盤底筋の一部である肛門筋が緩んで尿漏れを生ずることにもなる。
【００３１】
このように正しい歩行運動は、足ＡＳと下肢ＫＳと、骨盤Ｂ１４の正常位置を維持して、体幹ＴＫを健全に保つための、大切な運動である。
【００３２】
このため、これまで健康維持や体幹のトレ−ニングを目的として、各種の運動補助具が開発されている。
【先行技術文献】
【特許文献】
【００３３】
【特許文献１】特開２０１４-２３９７９０
【特許文献２】実用新案登録第３０９６４０４号
【非特許文献】
【００３４】
【非特許文献１】スポ−ツ医学会、スポ−ツ損傷、コンデイショニング
【非特許文献２】医歯薬出版、基礎運動学、基礎から学ぶ運動学ノート、歩行時の筋肉
【００３５】
特許文献１によると、図１７の（Ａ）図に示すように不安定要素を備えたボード状物の上に片足、または両足をのせて使用するバランス訓練器具であるが、定位置で使用するボ−ド状物に乗って行うバランス訓練は、歩行運動に伴う体の重心移動と体重移動に関与する筋肉群の弛緩と収縮活動と同等の効果は期待できない。
【００３６】
また、特許文献２によると、図１７の（Ｂ）図に示すように靴底の中央部を頂点とする傾斜構造をもち、踵から接地して、弯曲した膝を直立させるなど、姿勢の矯正を目的とするダイエット健康器具であるが、立脚後期の踵離期と爪先の蹴出しに関与する筋肉群を鍛える効果が薄れるか、または効果が期待できない。
【００３７】
しかも、特許文献１と、特許文献２による技術面に共通しているのは、正常な歩行運動に関与する足首ＡＳと下肢ＫＳ及び骨盤Ｂ１４などを含む体幹ＴＫを支える筋肉群を連続して鍛える機能面と、足首の安全性を保持する機能面に欠ける。
【考案の概要】
【考案が解決しようとする課題】
【００３８】
そこで、この考案は、歩行時に体の重心移動と体重移動の経路を意識させて正常な歩行運動を導く構造と、さらに靴のアウトソ−ルＳＳの接地面側に不安定要素を備えて、歩行運動に関与する筋肉群に負荷を与え、しかも足首の許容傾斜角度を超えない構造を備えて、安全に足ＡＳと下肢ＫＳと体幹ＴＫを連続して鍛えることができる健康靴を提供することを課題とする。
【課題を解決するための手段】
【００３９】
以上の課題を解決するために、第一考案は、樹脂系の素材を用いて靴のアウトソールＳＳを、踵ＦＮ１から爪先に向けて徐々に厚くなるように成形して、靴のミッドソ−ルＳＭとの接着面側と接地面側との間に設けた傾斜角度θ１を有することを特徴とする足ＡＳと下肢ＫＳと体幹ＴＫを連続して鍛えるための健康靴である。
【００４０】
また、第二考案は、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、踵ＦＮ１の内足側の土踏まずＦＮ３に近い部位を起点として、踵ＦＮ１の後方の部位を経て、踵ＦＮ１から第五足指ＦＦ５の根元の小指球ＦＮ６に至る外足側の足刀部ＦＮ２を経て、さらに小指球ＦＮ６と指尖球ＦＮ５と母指球ＦＮ４を結ぶ部位を経て、第一足指ＦＦ１と第二足指ＦＦ２の間の部位を終点とする正常な歩行時の体重移動と重心の移動経路に沿って、靴の不安定要素を構成する略Ｓ字形の突条体ＳＴを備えていることを特徴とする足ＡＳと下肢ＫＳと体幹ＫＳを連続して鍛えるための健康靴である。
【００４１】
さらに、第三考案は、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、踵ＦＮ１の内足側の土踏まずＦＮ３に近い部位を起点として、踵ＦＮ１の後方の部位を経て、踵ＦＮ１から第五足指ＦＦ５の根元の小指球ＦＮ６に至る外足側の足刀部ＦＮ２を経て、さらに小指球ＦＮ６と指尖球ＦＮ５と母指球ＦＮ４を結ぶ部位を経て、第一足指ＦＦ１と第二足指ＦＦ２の間の部位を終点とする正常な歩行時の体重移動と重心の移動の経路に沿って、靴の不安定要素を構成する略Ｓ字形の突条体ＳＴを備えており、そして、この靴の不安定要素を構成する略Ｓ字形の突条体ＳＴの起点とした踵ＦＮ１の内足側の土踏まずＦＮ３に近い部位に突子ＴＭ１と、踵ＦＮ１の後方の部位に突子ＴＨ２を設け、そして、踵ＦＮ１から第五足指ＦＦ５の根元の小指球ＦＮ６に至る外足側の足刀部ＦＮ２の踵ＦＮ１に近い部位には突子ＴＬ３を設けてさらに、足刀部ＦＮ２の小指球ＦＮ６に近い部位にＴＬ４を設け、小指球ＦＮ６の部位に突子ＴＬ５を設け、さらに指尖球ＦＮ５の部位に突子ＴＬ６と母指球ＦＮ４の部位に突子ＴＭ７を設けて、靴の不安定要素を構成する略Ｓ字形の突条体ＳＴの終点とした第一足指ＦＦ１と第二足指ＦＦ２の間の部位に突子ＴＨ８を設けた構造は、突子ＴＨ２と突子ＴＨ７は高さが高く、靴の不安定要素を構成しており、突子ＴＭ１と突子ＴＭ７は足首が内足側に傾斜するときの傾斜止めの機能を有し、その傾斜角度を傾斜角θ２及び傾斜角θ５に留め、そして、突子ＴＬ３と突子４と突子５は足首が外足側に傾斜するときの傾斜止めの機能を有し、その傾斜角度を傾斜角θ３及び傾斜角θ４に留めるその構造は、略Ｓ字形の突条体と８つの突子からなる靴の不安定要素を備えている靴のアウトソ−ルＳＳの接地面が、水平な床面または、水平な地面に対して平行な状態、すなわち水平な状態に於いて、踵ＦＮ１の後方に位置する突子ＴＨ２が靴のアウトソ−ルＳＳの接地面側に接着する面ＡＳＭ２の中心点ＳＰ２と、突子ＴＨ２の接地する側の先端の中心点とを結ぶ垂線が、水平な床面又は、水平な地面と交わる点を交点ＴＰ２として、さらに第一足指ＦＦ１と第二足指ＦＦ２の間に位置する突子ＴＨ８が靴のアウトソ−ルＳＳの接地面側に接着する面ＡＳＭ８の中心点ＳＰ８と、突子ＴＨ８の接地する側の先端の中心点とを結ぶ垂線が、水平な床面又は、水平な地面と交わる点を交点ＴＰ８として、この交点ＴＰ８と交点ＴＰ２を結ぶ線分をＬ１として、この線分Ｌ１に対して、内足側の突子ＴＭ１の接地面側の先端の中心点ＴＰ１からの垂線を線分Ｌ２として、この線分Ｌ２が、水平な床面または水平な地面と交わる点を交点ＫＰ１としてこの交点ＫＰ１から線分Ｌ１と直交する線分をＬ３として、この線分Ｌ３と線分Ｌ１との交点をＫＰ２として、この交点ＫＰ２と突子ＴＭ１の接地面側の先端の中心点ＴＰ１を結ぶ線分をＬ４として、交点ＫＰ２を頂点とする線分Ｌ３と線分Ｌ４が形成する角度をθ２として、その角度が１５度になるように設定して、足首が内足側に傾斜するときの足首の許容傾斜角度２０度を越えないように、突子ＴＭ１に傾斜止めの機能をもたせ、そして線分Ｌ１に対して、内足側の突子ＴＭ７の接地面側の先端の中心点ＴＰ７からの垂線を線分Ｌ１４として、この線分Ｌ１４が、水平な床面または水平な地面と交わる点を交点ＫＰ９してこの交点ＫＰ９から線分Ｌ１と直交する線分をＬ１５として、この線分Ｌ１５と線分Ｌ１との交点をＫＰ１０として、この交点ＫＰ１０と突子ＴＭ７の接地面側の先端の中心点ＴＰ７を結ぶ線分をＬ１６として、交点ＫＰ１０を頂点とする線分Ｌ１５と線分Ｌ１６が形成する角度をθ５として、その角度が１５度になるように設定して、足首が内足側に傾斜するときの足首の許容傾斜角度２０度を越えないように、突子ＴＭ７に傾斜止めの機能をもたせ、そして線分Ｌ１に対して、外足側の突子ＴＬ３の接地面側の先端の中心点ＴＰ３からの垂線を線分Ｌ５として、この線分Ｌ５が、水平な床面または水平な地面と交わる点を交点ＫＰ３としてこの交点ＫＰ３から線分Ｌ１と直交する線分をＬ６として、この線分Ｌ６と線分Ｌ１との交点をＫＰ４として、この交点ＫＰ４と突子ＴＬ３の接地面側の先端の中心点ＴＰ３を結ぶ線分をＬ７として、交点ＫＰ４を頂点とする線分Ｌ６と線分Ｌ７が形成する角度をθ３として、その角度が２０度になるように設定して、足首が外足側に傾斜するときの足首の許容傾斜角度３０度を越えないように、突子ＴＬ３に傾斜止めの機能をもたせ、そしてこの線分Ｌ１に対して、外足側の突子ＴＬ４の接地面側の先端の中心点ＴＰ４からの垂線を線分Ｌ８として、この線分Ｌ８が、水平な床面または水平な地面と交わる点を交点ＫＰ５としてこの交点ＫＰ５から線分Ｌ１と直交する線分をＬ９として、この線分Ｌ９と線分Ｌ１との交点をＫＰ６として、この交点ＫＰ６と突子ＴＬ４の接地面側の先端の中心点ＴＰ４を結ぶ線分をＬ１０として、交点ＫＰ６を頂点とする線分Ｌ９と線分Ｌ１０が形成する角度をθ３及びθ４と同じ角度の２０度になるように設定して、足首が外足側に傾斜するときの足首の許容傾斜角度３０度を越えないように、突子ＴＬ４に傾斜止めの機能をもたせ、そして線分Ｌ１に対して、外足側の突子ＴＬ５の接地面側の先端の中心点ＴＰ５からの垂線を線分Ｌ１１として、この線分Ｌ１１が、水平な床面または水平な地面と交わる点を交点ＫＰ７としてこの交点ＫＰ７から線分Ｌ１と直交する線分をＬ１２として、この線分Ｌ１２と線分Ｌ１との交点をＫＰ８として、この交点ＫＰ８と突子ＴＬ５の接地面側の先端の中心点ＴＰ５を結ぶ線分をＬ１３として、交点ＫＰ８を頂点とする線分Ｌ１２と線分Ｌ１３が形成する角度をθ４として、その角度が２０度になるように設定して、足首が外足側に傾斜するときの足首の許容傾斜角度３０度を越えないように、突子ＴＬ５に傾斜止めの機能をもたせることにより、足首の許容傾斜角度を超えない様にして、足首の安全性を保つことが出来る構造を備えていることを特徴とする足ＡＳと下肢ＫＳと体幹ＴＫを連続して鍛えることが出来る健康靴である。
【考案の効果】
【００４２】
本考案の第一考案によれば、樹脂系の素材を用いて靴のアウトソ−ルＳＳを、踵ＦＮ１から爪先に向けて徐々に厚くなるように成形して、図１と図２及び図３に示すように靴のミッドソ−ルＳＭとの接着面側と接地面側との間に設けた傾斜角度θ１を有していることは、常に坂道を登坂する歩行運動と同じ状態を形成して、踵ＦＮ１が地面に接地する瞬間の踵接地期、足の裏全面が接地している瞬間の足底接地期、そしてその接地している足ＡＳの真上を重心と体重が移動している立脚中期と、さらにその足ＡＳの爪先が地面から離れる瞬間の蹴出期までの立脚相全般にわたり、足関節の固定と膝折れの予防に関与する大腿四頭筋Ｍ４と大腿二頭筋Ｍ５と腓腹筋Ｍ１４と短腓骨筋Ｍ１５とヒラメ筋Ｍ１６と後脛骨筋Ｍ２０とアキレス腱Ｍ１等の弛緩と収縮を連続して強化ができることと、体幹ＴＫの前屈のための脊柱起立筋Ｍ２２と前脛骨筋Ｍ３と腓腹筋Ｍ１４とアキレス腱Ｍ１等の弛緩と収縮を連続して強化ができることと、さらに、足首を甲側に反る伸展または背屈に関与する前脛骨筋Ｍ３と長趾伸筋Ｍ１０と長母趾伸筋Ｍ２８および、足首を足の裏側に反る屈曲または底屈に関与するヒラメ筋Ｍ１６と腓腹筋Ｍ１４と長腓骨筋Ｍ１２の弛緩と収縮を連続して鍛えること、立脚相の蹴出期には長母趾屈筋Ｍ２１と長趾屈筋Ｍ２７を連続して鍛えることができるという利点がある。
【００４３】
本考案の第二考案によれば、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、図３に示すように踵ＦＮ１の内足側の土踏まずＦＮ３に近い部位を起点として、踵ＦＮ１の後方の部位を経て踵ＦＮ１から第五足指ＦＦ５の根元の小指球ＦＮ６に至る外足側の足刀部ＦＮ２を経て、さらに小指球ＦＮ６と指尖球ＦＮ５と母指球ＦＮ４を結ぶ部位を経て、第一足指ＦＦ１と第二足指ＦＦ２の間の部位を終点とする、正常な歩行運動時の体重移動と重心移動の経路に沿って、靴の不安定要素を構成する略Ｓ字形の突条体ＳＴを備えていることは、歩行運動のときに靴のアウトソ−ルＳＳの接地面に備えた不安定要素を構成する略Ｓ字形の突条体ＳＴを意識して歩行運動をすることにより、体重移動と重心の移動の経路に沿った正しい歩行運動に導かれることにより、歩行運動中に、体重の負荷が足ＡＳの３つのアーチ構造に分散してかかるので、歩行運動に関与する筋肉群が健全な弛緩と収縮を繰り返して行われる結果、足ＡＳと下肢ＫＳと体幹ＫＳを健康に保つことが出来るという利点がある。
【００４４】
本考案の第三考案によれば、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、図３に示すように踵ＦＮ１の内足側の土踏まずＦＮ３に近い部位を起点として、踵ＦＮ１の後方の部位を経て、踵ＦＮ１から第五足指ＦＦ５の根元の小指球ＦＮ６に至る外足側の足刀部ＦＮ２を経て、さらに小指球ＦＮ６と指尖球ＦＮ５と母指球ＦＮ４を結ぶ部位を経て、第一足指ＦＦ１と第二足指ＦＦ２の間の部位を終点とする正常な歩行時の体重移動と重心の移動の経路に沿って靴の不安定要素を構成する略Ｓ字形の突条体ＳＴを備えており、そして図３及び図４に示すように、この靴の不安定要素を構成する略Ｓ字形の突条体ＳＴの起点とした踵ＦＮ１の内足側の土踏まずＦＮ３に近い部位に突子ＴＭ１と、踵ＦＮ１の後方の部位に突子ＴＨ２を設けそして踵ＦＮ１から第五足指ＦＦ５の根元の小指球ＦＮ６に至る外足側の足刀部ＦＮ２の踵ＦＮ１に近い部位には突子ＴＬ３を設けてさらに、足刀部ＦＮ２の小指球ＦＮ６に近い部位にＴＬ４を設けて小指球ＦＮ６の部位には突子ＴＬ５を設けさらに指尖球ＦＮ５の部位に突子ＴＬ６と母指球ＦＮ４の部位に突子ＴＭ７を設けて、靴の不安定要素を構成する略Ｓ字形の突条体ＳＴの終点とした第一足指ＦＦ１と第二足指ＦＦ２の間の部位には突子ＴＨ８を設けた構造は、突子ＴＨ２と突子ＴＨ７は高さが高く、靴の不安定要素を構成しており、突子ＴＭ１と突子ＴＭ７は足首が内足側に傾斜するときの傾斜止めの機能を有し、図５と図６の拡大図（Ａ）及び図７の拡大図（Ｂ）に示すように、その傾斜角度を傾斜角θ２及び傾斜角θ５に留まるので図１２に示す、足首が内足側に傾いて外足側が開く外返しＳＧの許容傾斜角度を超えないように足首の傾斜角度を保ち、そして、突子ＴＬ３と突子ＴＬ４と突子ＴＬ５は足首が外足側に傾斜するときの傾斜止めの機能を有し、図６の拡大図（Ａ）及び図７の拡大図（Ｂ）に示すように、その傾斜角度を傾斜角θ３及び傾斜角θ４に留まるので図１２に示す、足首が外足側に傾いて内足側が開く内返しＵＧの許容傾斜角度を超えないように足首の傾斜角度を保つその構造は、略Ｓ字形の突条体と８つの突子からなる靴の不安定要素を備えている靴のアウトソ−ルＳＳの接地面が、水平な床面または、水平な地面に対して平行な状態、すなわち水平な状態に於いて、図１８に示すように踵ＦＮ１の後方に位置する突子ＴＨ２が靴のアウトソ−ルＳＳの接地面側に接着する面ＡＳＭ２の中心点ＳＰ２と、突子ＴＨ２の接地する側の先端の中心点とを結ぶ垂線が、水平な床面又は、水平な地面と交わる点を交点ＴＰ２として、さらに第一足指ＦＦ１と第二足指ＦＦ２の間に位置する突子ＴＨ８が靴のアウトソ−ルＳＳの接地面側に接着する面ＡＳＭ８の中心点ＳＰ８と、突子ＴＨ８の接地する側の先端の中心点とを結ぶ垂線が、水平な床面又は、水平な地面と交わる点を交点ＴＰ８として、この交点ＴＰ８と交点ＴＰ２を結ぶ線分をＬ１として、この線分Ｌ１に対して、内足側の突子ＴＭ１の接地面側の先端の中心点ＴＰ１からの垂線を線分Ｌ２として、この線分Ｌ２が、水平な床面��たは水平な地面と交わる点を交点ＫＰ１としてこの交点ＫＰ１から線分Ｌ１と直交する線分をＬ３として、この線分Ｌ３と線分Ｌ１との交点をＫＰ２として、この交点ＫＰ２と突子ＴＭ１の接地面側の先端の中心点ＴＰ１を結ぶ線分をＬ４として、交点ＫＰ２を頂点とする線分Ｌ３と線分Ｌ４が形成する角度をθ２として、その角度が１５度になるように設定して、足首が内足側に傾斜するときの足首の許容傾斜角度２０度を越えないように、突子ＴＭ１に傾斜止めの機能をもたせ、そして線分Ｌ１に対して、内足側の突子ＴＭ７の接地面側の先端の中心点ＴＰ７からの垂線を線分Ｌ１４として、この線分Ｌ１４が、水平な床面または水平な地面と交わる点を交点ＫＰ９してこの交点ＫＰ９から線分Ｌ１と直交する線分をＬ１５として、この線分Ｌ１５と線分Ｌ１との交点をＫＰ１０として、この交点ＫＰ１０と突子ＴＭ７の接地面側の先端の中心点ＴＰ７を結ぶ線分をＬ１６として、交点ＫＰ１０を頂点とする線分Ｌ１５と線分Ｌ１６が形成する角度をθ５として、その角度が１５度になるように設定して、足首が内足側に傾斜するときの足首の許容傾斜角度２０度を越えないように、突子ＴＭ７に傾斜止めの機能をもたせ、そして線分Ｌ１に対して、外足側の突子ＴＬ３の接地面側の先端の中心点ＴＰ３からの垂線を線分Ｌ５として、この線分Ｌ５が、水平な床面または水平な地面と交わる点を交点ＫＰ３としてこの交点ＫＰ３から線分Ｌ１と直交する線分をＬ６として、この線分Ｌ６と線分Ｌ１との交点をＫＰ４として、この交点ＫＰ４と突子ＴＬ３の接地面側の先端の中心点ＴＰ３を結ぶ線分をＬ７として、交点ＫＰ４を頂点とする線分Ｌ６と線分Ｌ７が形成する角度をθ３として、その角度が２０度になるように設定して、足首が外足側に傾斜するときの足首の許容傾斜角度３０度を越えないように、突子ＴＬ３に傾斜止めの機能をもたせ、そして線分Ｌ１に対して、外足側の突子ＴＬ４の接地面側の先端の中心点ＴＰ４からの垂線を線分Ｌ８として、この線分Ｌ８が、水平な床面または水平な地面と交わる点を交点ＫＰ５としてこの交点ＫＰ５から線分Ｌ１と直交する線分をＬ９として、この線分Ｌ９と線分Ｌ１との交点をＫＰ６として、この交点ＫＰ６と突子ＴＬ４の接地面側の先端の中心点ＴＰ４を結ぶ線分をＬ１０として、交点ＫＰ６を頂点とする線分Ｌ９と線分Ｌ１０が形成する角度をθ３及びθ４と同じ角度の２０度になるように設定して、足首が外足側に傾斜するときの足首の許容傾斜角度３０度を越えないように、突子ＴＬ４に傾斜止めの機能をもたせ、そして線分Ｌ１に対して、外足側の突子ＴＬ５の接地面側の先端の中心点ＴＰ５からの垂線を線分Ｌ１１として、この線分Ｌ１１が、水平な床面または水平な地面と交わる点を交点ＫＰ７としてこの交点ＫＰ７から線分Ｌ１と直交する線分をＬ１２として、この線分Ｌ１２と線分Ｌ１との交点をＫＰ８として、この交点ＫＰ８と突子ＴＬ５の接地面側の先端の中心点ＴＰ５を結ぶ線分をＬ１３として、交点ＫＰ８を頂点とする線分Ｌ１２と線分Ｌ１３が形成する角度をθ４として、その角度が２０度になるように設定して、足首が外足側に傾斜するときの足首の許容傾斜角度３０度を越えないように、突子ＴＬ５に傾斜止めの機能をもたせることにより、��首の安全域を保持しつつ、足ＡＳと下肢ＫＳと体幹ＴＫを鍛えることができるという利点がある。
【図面の簡単な説明】
【００４５】
【図１】図１は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの形状及びアウトソ−ルＳＳの接地面に設けた不安定要素を構成する略Ｓ字形の突条体ＳＴ及び不安定要素を構成する突子ＴＭ１と突子ＴＨ２と突子ＴＬ３と突子ＴＬ４と突子ＴＬ５と突子ＴＬ６と突子ＴＭ７と突子ＴＨ８の形状を示す図である。
【図２】図２は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの形状と、靴のアウトソ−ルＳＳに設けた不安定要素を構成する略Ｓ字形の突条体ＳＴ及び突子ＴＭ１と突子ＴＨ２と突子ＴＬ３と突子ＴＬ４と突子ＴＬ５と突子ＴＬ６と突子ＴＭ７と突子ＴＨ８を備えた右足の靴の形状を、裏面から見た斜視図である。
【図３】図３は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する、アウトソ−ルＳＳの接地面に不安定要素を構成する略Ｓ字形の突条体ＳＴ及び不安定要素を構成する突子ＴＭ１と突子ＴＨ２と突子ＴＬ３と突子ＴＬ４と突子ＴＬ５と突子ＴＬ６と突子ＴＭ７と突子ＴＨ８足の、裏ＡＵの各部位との位置関係を示す図である。
【図４】図４は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する、靴のアウトソ−ルＳＳに設けた不安定要素を構成する略Ｓ字形の突条体ＳＴ及び不安定要素を構成する突子ＴＭ１と突子ＴＨ２と突子ＴＬ３と突子ＴＬ４と突子ＴＬ５と突子ＴＬ６と突子ＴＭ７と突子ＴＨ８の足骨ＢＳの各部位との位置関係を示す平面図である。
【図５】図５は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する、靴のアウトソ−ルＳＳに設けた不安定要素を構成する略Ｓ字形の突条体ＳＴ及び不安定要素を構成する突子ＴＭ１と突子ＴＨ２と突子ＴＬ３と突子ＴＬ４と突子ＴＬ５と突子ＴＬ６と突子ＴＭ７と突子ＴＨ８及び足骨ＢＳの各部位との位置関係を示す靴の側面図である。
【図６】図６は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する、靴のアウトソ−ルＳＳの接地面に設けた不安定要素を構成する略Ｓ字形の突条体ＳＴ及び不安定要素を構成する突子ＴＭ１と突子ＴＨ２と突子ＴＬ３の形状と足骨ＢＳの各部位との位置関係を靴の後方から見た図で、部分拡大図Ａは靴のアウトソ−ルＳＳの接地面に設けた不安定要素を構成する前述の突子により傾斜角θ２と傾斜角θ３を形成する形状を示す図である。
【図７】図７は本考案の、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面に設けた不安定要素を構成する略Ｓ字形の突条体ＳＴ及び不安定要素を構成する突子ＴＭ７と突子ＴＨ８と突子ＴＬ６と突子ＴＬ５の形状と足骨ＢＳとの位置関係を靴の前方から見た図で、部分拡大図Ｂは靴のアウトソ−ルＳＳの接地面に設けた不安定要素を構成する前述の突子により傾斜角θ４と傾斜角θ５を形成する形状を示す図である。
【図８】図８は、足骨ＢＳが形成する３つのアーチを示す図で、内足側の縦のアーチＡＴＮと外足側の縦のアーチＡＴＳ及び中足骨ＢＴＫの前部が形成する横のアーチＡＹ３と中足骨ＢＴＫの後部が形成する横のアーチＡＹ２及び楔状骨Ｂ４と立方骨Ｂ６が形成する横のアーチＡＹ１を示す図である。
【図９】図９は、足骨ＢＳが形成する３つのアーチを足の甲側と側面側から支える主要な筋肉を示す図である。
【図１０】図１０は、足骨ＢＳが形成する３つのアーチを足の裏面から支える主要な筋肉を示す図である。
【図１１】図１１は、脚部の筋肉群を示す図である。
【図１２】図１２は、足首の内返しと外返しの許容傾斜角度を示す図である。
【図１３】図１３は、正常な足と偏平足の形状を示す図である。
【図１４】図１４は、脊柱起立筋を示す図である。
【図１５】図１５は、舟状骨の下降に起因する骨格の変形を示す図である。
【図１６】図１６は、足首と足骨及び足裏の各部の名称を示す図である。
【図１７】図１７は従来技術を示す図で、図１７の（Ａ）図には、先行特許文献１に示されている図を示し、図１７の（Ｂ）図には、先行特許文献２に示されている図を示す図である。
【図１８】図１８は、本考案の実施形態を示す図で、内足側の突子ＴＭ１と突子ＴＭ７が傾斜角度θ２及び傾斜角度θ５を形成して足首が内足側に傾斜するとき足首の許容傾斜角度の１５度を超えないようにする構造と、外足側の突子ＴＬ３とＴＬ４とＴＬ５が傾斜角度θ３及び傾斜角度θ４を形成して足首が外足側に傾斜するとき足首の許容傾斜角度の２０度を超えないようにする構造を示す図である。
【考案を実施するための形態】
【００４６】
以下図面に基ずき、本考案の実施の一形態を説明する
【００４７】
図１と図２及び図３に示すように、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、踵ＦＮ１の内足側の土踏まずＦＮ３に近い部位を起点として、踵ＦＮ１の後方の部位を経て、踵ＦＮ１から第五足指ＦＦ５の根元の小指球ＦＮ６に至る外足側の足刀部ＦＮ２を経て、さらに小指球ＦＮ６と指尖球ＦＮ５と母指球ＦＮ４を結ぶ部位を経て、第一足指ＦＦ１と第二足指ＦＦ２の間の部位を終点とする正常な歩行時の体重移動と重心の移動の経路に沿って靴の不安定要素を構成する略Ｓ字形の突条体ＳＴを備えており、そして、図３及び図４及び図１６に示すように、この靴の不安定要素を構成する略Ｓ字形の突条体ＳＴの起点とした踵ＦＮ１の内足側の土踏まずＦＮ３に近い部位に突子ＴＭ１と、踵ＦＮ１の後方の部位に突子ＴＨ２を設け、そして踵ＦＮ１から第五足指ＦＦ５の根元の小指球ＦＮ６に至る外足側の足刀部ＦＮ２の踵ＦＮ１に近い部位には突子ＴＬ３を設けてさらに、足刀部ＦＮ２の小指球ＦＮ６に近い部位にＴＬ４を設けて、小指球ＦＮ６の部位には突子ＴＬ５を設けさらに指尖球ＦＮ５の部位に突子ＴＬ６と母指球ＦＮ４の部位に突子ＴＭ７を設けて、靴の不安定要素を構成する略Ｓ字形の突条体ＳＴの終点とした第一足指ＦＦ１と第二足指ＦＦ２の間の部位に、突子ＴＨ８を設けた構造は、突子ＴＨ２と突子ＴＨ７は高さが高く、靴の不安定要素を構成しており、突子ＴＭ１と突子ＴＭ７は足首が内足側に傾斜するときの傾斜止めの機能を有し、図５と図６の拡大図（Ａ）及び図７の拡大図（Ｂ）に示すように、その傾斜角度を傾斜角θ２及び傾斜角θ５に留まり、そして、突子ＴＬ３と突子ＴＬ４と突子ＴＬ５は足首が外足側に傾斜するときの傾斜止めの機能を有し、図５と図６の拡大図（Ａ）及び図７の拡大図（Ｂ）に示すように、その傾斜角度を傾斜角θ３及び傾斜角θ４に留まるその構造は、略Ｓ字形の突条体と８つの突子からなる靴の不安定要素を備えている靴のアウトソ−ルＳＳの接地面が、水平な床面または、水平な地面に対して平行な状態、すなわち水平な状態に於いて、図１８に示すように踵ＦＮ１の後方に位置する突子ＴＨ２が靴のアウトソ−ルＳＳの接地面側に接着する面ＡＳＭ２の中心点ＳＰ２と、突子ＴＨ２の接地する側の先端の中心点とを結ぶ垂線が、水平な床面又は、水平な地面と交わる点を交点ＴＰ２として、さらに図１８に示すように第一足指ＦＦ１と第二足指ＦＦ２の間に位置する突子ＴＨ８が靴のアウトソ−ルＳＳの接地面側に接着する面ＡＳＭ８の中心点ＳＰ８と、突子ＴＨ８の接地する側の先端の中心点とを結ぶ垂線が、水平な床面又は、水平な地面と交わる点を交点ＴＰ８として、この交点ＴＰ８と交点ＴＰ２を結ぶ線分をＬ１として、この線分Ｌ１に対して、内足側の突子ＴＭ１の接地面側の先端の中心点ＴＰ１からの垂線を線分Ｌ２として、この線分Ｌ２が、水平な床面または水平な地面と交わる点を交点ＫＰ１としてこの交点ＫＰ１から線分Ｌ１と直交する線分をＬ３として、この線分Ｌ３と線分Ｌ１との交点をＫＰ２として、この交点ＫＰ２と突子ＴＭ１の接地面側の先端の中��点ＴＰ１を結ぶ線分をＬ４として、交点ＫＰ２を頂点とする線分Ｌ３と線分Ｌ４が形成する角度をθ２として、その角度が１５度になるように設定して、足首が内足側に傾斜するときの足首の許容傾斜角度２０度を越えないように、突子ＴＭ１に傾斜止めの機能をもたせ、そして線分Ｌ１に対して、内足側の突子ＴＭ７の接地面側の先端の中心点ＴＰ７からの垂線を線分Ｌ１４として、この線分Ｌ１４が、水平な床面または水平な地面と交わる点を交点ＫＰ９してこの交点ＫＰ９から線分Ｌ１と直交する線分をＬ１５として、この線分Ｌ１５と線分Ｌ１との交点をＫＰ１０として、この交点ＫＰ１０と突子ＴＭ７の接地面側の先端の中心点ＴＰ７を結ぶ線分をＬ１６として、交点ＫＰ１０を頂点とする線分Ｌ１５と線分Ｌ１６が形成する角度をθ５として、その角度が１５度になるように設定して、足首が内足側に傾斜するときの足首の許容傾斜角度２０度を越えないように、突子ＴＭ７に傾斜止めの機能をもたせ、そして線分Ｌ１に対して、外足側の突子ＴＬ３の接地面側の先端の中心点ＴＰ３からの垂線を線分Ｌ５として、この線分Ｌ５が、水平な床面または水平な地面と交わる点を交点ＫＰ３としてこの交点ＫＰ３から線分Ｌ１と直交する線分をＬ６として、この線分Ｌ６と線分Ｌ１との交点をＫＰ４として、この交点ＫＰ４と突子ＴＬ３の接地面側の先端の中心点ＴＰ３を結ぶ線分をＬ７として、交点ＫＰ４を頂点とする線分Ｌ６と線分Ｌ７が形成する角度をθ３として、その角度が２０度になるように設定して、足首が外足側に傾斜するときの足首の許容傾斜角度３０度を越えないように、突子ＴＬ３に傾斜止めの機能をもたせ、そして線分Ｌ１に対して、外足側の突子ＴＬ４の接地面側の先端の中心点ＴＰ４からの垂線を線分Ｌ８として、この線分Ｌ８が、水平な床面または水平な地面と交わる点を交点ＫＰ５としてこの交点ＫＰ５から線分Ｌ１と直交する線分をＬ９として、この線分Ｌ９と線分Ｌ１との交点をＫＰ６として、この交点ＫＰ６と突子ＴＬ４の接地面側の先端の中心点ＴＰ４を結ぶ線分をＬ１０として、交点ＫＰ６を頂点とする線分Ｌ９と線分Ｌ１０が形成する角度をθ３及びθ４と同じ角度の２０度になるように設定して、足首が外足側に傾斜するときの足首の許容傾斜角度３０度を越えないように、突子ＴＬ４に傾斜止めの機能をもたせ、そして線分Ｌ１に対して、外足側の突子ＴＬ５の接地面側の先端の中心点ＴＰ５からの垂線を線分Ｌ１１として、この線分Ｌ１１が、水平な床面または水平な地面と交わる点を交点ＫＰ７としてこの交点ＫＰ７から線分Ｌ１と直交する線分をＬ１２として、この線分Ｌ１２と線分Ｌ１との交点をＫＰ８として、この交点ＫＰ８と突子ＴＬ５の接地面側の先端の中心点ＴＰ５を結ぶ線分をＬ１３として、交点ＫＰ８を頂点とする線分Ｌ１２と線分Ｌ１３が形成する角度をθ４として、その角度が２０度になるように設定して、足首が外足側に傾斜するときの足首の許容傾斜角度３０度を越えないように、突子ＴＬ５に傾斜止めの機能をもたせることにより、図１２に示す足首の許容傾斜角度を超えないようにして、足首の安全性を保つことが出来る構造を有していて、足ＡＳと下肢ＫＳと体幹ＴＫを連続して鍛えることが出来る健康靴である。
【実施形態の効果】
【００４８】
本考案の、実施の一形態の効果として、  実施の一形態では、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴は、常に坂道を登坂する歩行運動と同じ状態を形成して、踵ＦＮ１が地面に接地する瞬間の踵接地期には、足首を甲側に反る伸展または背屈に関与する前脛骨筋Ｍ３と長趾伸筋Ｍ１０と長母趾伸筋Ｍ２８および、足首を足の裏ＡＵ側に反る屈曲または底屈に関与するヒラメ筋Ｍ１６と腓腹筋Ｍ１４と長腓骨筋Ｍ１２等の弛緩と収縮を連続して強化ができることと、立脚相の蹴出期には長母趾屈筋Ｍ２１と長趾屈筋Ｍ２７等の弛緩と収縮を連続して強化ができることから、内足側の縦のアーチＡＴＮの土踏まずＦＮ３の頂点にあって要となっている舟状骨Ｂ５を真下から支えている長母趾屈筋Ｍ２１と、短趾屈筋Ｍ２７及び、この舟状骨Ｂ５を上に引き上げている前脛骨筋Ｍ３と後脛骨筋Ｍ２０の４つの筋肉を連続して鍛えることができるので、舟状骨の健全で正常な位置を保持することに関与する筋肉群を鍛えることができるという利点がある。
【００４９】
さらに、本考案の、実施の一形態の効果として、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴のアウトソ−ルＳＳの接地面側に、靴の不安定要素を構成する略Ｓ字形の突条体ＳＴの起点とした踵ＦＮ１の内足側の土踏まずＦＮ３に近い部位に突子ＴＭ１と、踵ＦＮ１の後方の部位に突子ＴＨ２を設けそして踵ＦＮ１から第五足指ＦＦ５の根元の小指球ＦＮ６に至る外足側の足刀部ＦＮ２の踵ＦＮ１に近い部位には突子ＴＬ３を設けてさらに、足刀部ＦＮ２の小指球ＦＮ６に近い部位にＴＬ４を設けて小指球ＦＮ６の部位には突子ＴＬ５を設け、さらに指尖球ＦＮ５の部位に突子ＴＬ６と母指球ＦＮ４の部位に突子ＴＭ７を設けて、靴の不安定要素を構成する略Ｓ字形の突条体ＳＴの終点とした第一足指ＦＦ１と第二足指ＦＦ２の間の部位には突子ＴＨ８を設けた構造は、突子ＴＨ２と突子ＴＨ７は高さが高く、靴の不安定要素を構成しており、突子ＴＭ１と突子ＴＭ７は足首が内足側に傾斜するときの傾斜止めの機能を有し、図５と図６の拡大図（Ａ）及び図７の拡大図（Ｂ）に示すように、そして図１８に示す構造により、その傾斜角度を傾斜角θ２及び傾斜角θ５に留まるので、図１２に示す足首が内足側に傾いて外足側が開く外返しＳＧの許容傾斜角度を超えないように足首の傾斜角度を保ち、そして、突子ＴＬ３と突子ＴＬ４と突子ＴＬ５は足首が外足側に傾斜するときの傾斜止めの機能を有し、図６の拡大図（Ａ）及び図７の拡大図（Ｂ）に示すように、そして図１８に示す構造により、その傾斜角度を傾斜角θ３及び傾斜角θ４に留まるので図１２に示す、足首が外足側に傾いて内足側が開く内返しＵＧの許容傾斜角度を超えないようにして、足首の安全な傾斜角度を保つことができて、連続して足ＡＳと下肢ＫＳ体幹ＴＫを鍛えることが出来る健康靴は、内返し、または、外返しの許容傾斜角度まで足首が傾斜するので、足の裏ＡＵ全面が接地して、その上を重心と体重が移動してゆくときに外足側の小指外転筋ＭＧと、内足側の母指外転筋ＭＮが連続して鍛えることができて、そして、足ＡＳの爪先が地面から離れるまで足首の固定と安定が図れるという利点がある。
【００５０】
さらに、本考案の、実施の一形態の効果として、樹脂系の素材を用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴は、常に坂道を登坂する歩行運動と同じ状態を形成して、図１６に示す踵ＦＮ１が地面に接地する瞬間の踵接地期には、足首を甲側に反る伸展または背屈に関与する図１０に示す前脛骨筋Ｍ３と図９に示す長趾伸筋Ｍ１０と長母趾伸筋Ｍ２８および、足首を足の裏側に反る屈曲または底屈に関与する図１１に示すヒラメ筋Ｍ１６と腓腹筋Ｍ１４と長腓骨筋Ｍ１２を連続して鍛えることができることと、立脚相の蹴出期には図９に示す長母趾伸筋Ｍ２８と長趾伸筋Ｍ１０と図１０に示す長母趾屈筋Ｍ２１と短趾屈筋Ｍ２７を連続して鍛えることができることから、内足側の縦のア−チＡＴＮの土踏まずＦＮ３の頂点にあって要となっている舟状骨Ｂ５を真下から支えている長母趾屈筋Ｍ２１と、短趾屈筋Ｍ２７及び、この舟状骨Ｂ５を上に引き上げている前脛骨筋Ｍ３と後脛骨筋Ｍ２０の４つの筋肉を連続して鍛えることが出来るので、舟状骨の健全で正常な位置を保持して、健全な土踏まずＦＮ３が形成されるので正常な足ＴＡを形成することができるという利点がある。
【００５１】
さらに、靴のアウトソ−ルＳＳの接地面側に、靴の不安定要素を構成する略Ｓ字形の突条体ＳＴの起点とした踵ＦＮ１の内足側の土踏まずＦＮ３に近い部位に突子ＴＭ１と、踵ＦＮ１の後方の部位に突子ＴＨ２を設け、そして、踵ＦＮ１から第五足指ＦＦ５の根元の小指球ＦＮ６に至る外足側の足刀部ＦＮ２の踵ＦＮ１に近い部位に突子ＴＬ３を設けて、さらに、足刀部ＦＮ２の小指球ＦＮ６に近い部位にＴＬ４を設けて、小指球ＦＮ６の部位には突子ＴＬ５を設け、さらに指尖球ＦＮ５の部位に突子ＴＬ６と母指球ＦＮ４の部位に突子ＴＭ７を設けて、靴の不安定要素を構成する略Ｓ字形の突条体ＳＴの終点とした第一足指ＦＦ１と第二足指ＦＦ２の間の部位には突子ＴＨ８を設けた構造は、突子ＴＨ２と突子ＴＨ７は高さが高く、靴の不安定要素を構成しており、突子ＴＭ１と突子ＴＭ７は足首が内足側に傾斜するときの傾斜止めの機能を有し、図５と図６の拡大図（Ａ）及び図７の拡大図（Ｂ）に示すように、そして図１８に示す構造により、その傾斜角度を傾斜角θ２及び傾斜角θ５に留まるので、図１２に示す足首が内足側に傾いて外足側が開く外返しＳＧの許容傾斜角度を超えないように足首の傾斜角度を保ち、そして、突子ＴＬ３と突子ＴＬ４と突子ＴＬ５は足首が外足側に傾斜するときの傾斜止めの機能を有し、図６の拡大図（Ａ）及び図７の拡大図（Ｂ）に示すように、そして図１８に示す構造により、その傾斜角度を傾斜角θ３及び傾斜角θ４に留まるので、図１２に示す足首が外足側に傾いて内足側が開く内返しＵＧの許容傾斜角度を超えないようにして、足首の安全な傾斜角度を保つことができて、連続して足ＡＳと下肢ＫＳ体幹ＴＫを鍛えることが出来る健康靴は、内返し、また外返しの許容傾斜角度まで足首が傾斜するので、足の裏ＡＵ全面が接地して、その上を重心と体重が移動してゆくときに外足側の小指外転筋ＭＧと、内足側の母指外転筋ＭＮが連続して鍛えることができるので、足の爪先が地面から離れるまで足首の固定と安定が図れるので、土踏まずＦＮ３と足骨ＢＳと膝関節ＨＫと骨盤Ｂ１４の健全化が図れるので、脊柱Ｂ１６の形状と肩の平衡が維持されて、体幹ＴＫの正常化を図ることができるという利点がある。
【００５２】
以下図示しないが、本考案の実施の他の形態の其の一を説明する。
【００５３】
本考案の実施の一形態では、樹脂系の素材を用いて、靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴の接地面側に、靴の不安定要素を構成する略Ｓ字形の突条体ＳＴとともに、同じく靴の不安定要素を構成する突子ＴＭ１、突子ＴＨ２、突子ＴＬ３、突子ＴＬ４、突子ＴＬ５、突子ＴＬ６、突子ＴＭ７、突子ＴＨ８を成形しているものを、合成ゴム、又は天然ゴムを用いて、本考案の実施の一形態と同様の靴の不安定要素を成形してもよい。
【００５４】
本考案の、実施の他の形態の其の一の効果については、本考案の実施の一形態の効果と同一の利点にあるため説明は省略する。
【００５５】
以下図示しないが、本考案の実施の他の形態の其の二を説明する。
【００５６】
本考案の実施の一形態では、樹脂系の素材を用いて、そして、実施の他の形態の其の一では、合成ゴム、又は天然ゴムを用いて靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴の接地面側に、靴の不安定要素を構成する略Ｓ字形の突条体ＳＴとともに、同じく靴の不安定要素を構成する突子ＴＭ１、突子ＴＨ２、突子ＴＬ３、突子ＴＬ４、突子ＴＬ５、突子ＴＬ６、突子ＴＭ７、突子ＴＨ８を成形しているものを、靴の不安定要素を構成する略Ｓ字形の突条体ＳＴと、同じく靴の不安定要素を構成する突子ＴＭ１、突子ＴＨ２、突子ＴＬ３、突子ＴＬ４、突子ＴＬ５、突子ＴＬ６、突子ＴＭ７、突子ＴＨ８とそれぞれの素材を、弾性値の異なる素材又は硬さの異なる素材を用いて、実施の一形態と同様な靴の不安定要素を成形してもよい。
【００５７】
本考案の、実施の他の形態の其の二の効果については、本考案の実施の一形態の効果と同一の利点にあるため説明は省略する。
【００５８】
以下図示しないが、本考案の実施の他の形態の其の三を説明する。
【００５９】
本考案の実施の一形態と実施の他の形態の其の一及び実施の他の形態の其の二において、本考案の足ＡＳと下肢ＫＳと体幹ＴＫを連続して鍛えることできる健康靴のアウトソ−ルＳＳの接地面側に備えている靴の不安定要素を構成する略Ｓ字形の突条体ＳＴとともに靴の不安定要素を構成する８つの突子の素材を、樹脂系の素材や合成ゴム又は天然ゴムの素材にしてその弾性値の異なる素材や又は硬さの異なる素材を用いて、靴のアウトソ−ルＳＳを、踵ＦＮ１から爪先に向けて徐々に厚くなるように成形して、靴のミッドソ−ルＳＭとの接着面側と接地面側との間に設けた傾斜角度θ１を有する靴の接地面側に、靴の不安定要素を構成する略Ｓ字形の突条体ＳＴとともに、同じく靴の不安定要素を構成する突子ＴＭ１、突子ＴＨ２、突子ＴＬ３、突子ＴＬ４、突子ＴＬ５、突子ＴＬ６、突子ＴＭ７、突子ＴＨ８とそれぞれの素材は、本考案の足ＡＳと下肢ＫＳと体幹ＴＫを連続して鍛えることが出来る健康靴の用いる場所が、屋内の床面や、屋外の地面やコンクリ−ト面で用いる場合には、それぞれの使用場所に適した、耐摩耗性に優れた素材を用いて、実施の一形態と同様な靴の不安定要素を成形してもよい。
【００６０】
本考案の、実施の他の形態の其の三の効果については、本考案の実施の一形態の効果と同一の利点にあるため説明は省略する。
【符号の説明】
【００６１】
ＡＳ  足  足首から爪先までの部位
ＡＴＮ  内足側の縦のアーチＡＴＳ  外足側の縦のアーチ
ＡＹ１  楔状骨Ｂ４と立方骨Ｂ６を結ぶ横のアーチ
ＡＹ２  中足骨ＢＴＫの後部の横のアーチ
ＡＹ３  中足骨ＢＴＫの前部の横のアーチ
ＡＵ  足の裏
Ｂ１  踵骨
Ｂ２  距骨
Ｂ３  脛骨
Ｂ４  楔状骨
Ｂ５  舟状骨
Ｂ６  立方骨
Ｂ７  第一中足骨
Ｂ８  第二中足骨
Ｂ９  第三中足骨
Ｂ１０  第四中足骨
Ｂ１１  第五中足骨
Ｂ１２  腓骨
Ｂ１３  大腿骨
Ｂ１４  骨盤
Ｂ１５  鎖骨
Ｂ１６  脊柱
Ｂ１７  頸椎
Ｂ１８  肋骨
Ｂ１９  胸骨
ＢＳ  足骨
ＢＲ１  内足側の縦のアーチＡＴＮの下降。
ＢＲ２  内足側の縦のアーチＡＴＮの下降に伴う膝関節の内転ＨＲに伴う膝関節の下降。
ＢＲ３  膝関節の内転ＨＲに伴う骨盤の傾き
ＢＲ４  骨盤の傾きを調整するための肩の傾き
ＳＬ  骨格の中心線
ＢＫＫ  基節骨
ＢＭＫ  末節骨
ＢＴＫ  中足骨
ＦＦ１  第一足指
ＦＦ２  第二足指
ＦＦ３  第三足指
ＦＦ４  第四足指
ＦＦ５  第五足指
ＦＮ１  踵
ＦＮ２  足刀部
ＦＮ３  土踏まず
ＦＮ４  母指球
ＦＮ５  指尖球
ＦＮ６  小指球
ＨＡ  偏平足
ＨＲ  内足側の縦のアーチＡＴＮの下降に伴う膝関節の内転
ＨＫ  膝関節
ＫＳ  下肢  骨盤の下から足首までの部位
ＴＡ  正常な足
ＴＫ  体幹  首の下から骨盤までの部位
ＳＧ  外返し
ＵＧ  内返し
Ｍ１  アキレス腱
Ｍ２  小臀筋
Ｍ３  前脛骨筋
Ｍ４  大腿四頭筋
Ｍ５  大腿二頭筋
Ｍ６  大臀筋
Ｍ７  大内転筋
Ｍ８  薄筋
Ｍ９  中殿筋
Ｍ１０  長趾伸筋
Ｍ１１  長内転筋
Ｍ１２  長腓骨筋
Ｍ１３  腸腰筋
Ｍ１４  腓腹筋
Ｍ１５  短腓骨筋
Ｍ１６  ヒラメ筋
Ｍ１７  縫工筋
Ｍ１８  半腱様筋
Ｍ１９  大腿筋膜張筋
Ｍ２０  後脛骨筋
Ｍ２１  長母趾屈筋
Ｍ２２  脊柱起立筋
Ｍ２３  棘筋
Ｍ２４  最長筋
Ｍ２５  腸肋筋
Ｍ２６  短内転筋
Ｍ２７  短趾屈筋
Ｍ２８  長母趾伸筋
Ｍ２９  大腰筋
ＭＧ  小指外転筋
ＭＮ  母指外転筋
ＳＭ  靴のミッドソ−ル
ＳＳ  靴のアウトソ−ル
ＳＴ  靴のアウトソ−ルに設けた靴の不安定要素を構成する略Ｓ字形の突条体
ＴＨ２  靴の不安定要素を構成する略Ｓ字形の突条体ＳＴとともに靴の不安定要素を構成する突子で、靴の不安定要素を構成する略Ｓ字形の突条体ＳＴより高さが有あり、踵ＦＮ１の後方の部位に設けた突子で突子ＴＨ８と同じ高さの突子。
ＴＨ８  靴の不安定要素を構成する略Ｓ字形の突条体ＳＴとともに靴の不安定要素を構成する突子で、靴の不安定要素を構成する略Ｓ字形の突条体ＳＴより高さが有あり、第一足指ＦＦ１と第二足指ＦＦ２の間の部位に設けた突子で突子ＴＨ２と同じ高さの突子。
ＴＭ１  靴の不安定要素を構成する略Ｓ字形の突条体ＳＴとともに靴の不安定要素を構成する突子で、靴の不安定要素を構成する略Ｓ字形の突条体ＳＴより高さが有あり、突子ＴＨ２及び突子ＴＨ８より高さが低い突子で、踵ＦＮ１の内足側の部位に設けた突子。高さはＴＭ７と同じ高さの突子。
ＴＭ７  靴の不安定要素を構成する略Ｓ字形の突条体ＳＴとともに靴の不安定要素を構成する突子で、靴の不安定要素を構成する略Ｓ字形の突条体ＳＴより高さが有あり、突子ＴＨ２及びＴＨ８より高さが低い突子で、母指球ＦＮ４の部位に設けた突子。高さは突子ＴＭ１と同じ高さの突子。
ＴＬ３  靴の不安定要素を構成する略Ｓ字形の突条体ＳＴとともに靴の不安定要素を構成する突子で、靴の不安定要素を構成する略Ｓ字形の突条体ＳＴより高さが有あり、突子ＴＨ２及びＴＨ８より高さが低くかつ、突子ＴＭ１及びＴＭ７よりも高さが低い突子で、足刀部ＦＮ２の踵側の部位に設けた突子。高さは突子ＴＬ４と突子ＴＬ５及びＴＬ６と同じ高さの突子。
ＴＬ４  靴の不安定要素を構成する略Ｓ字形の突条体ＳＴとともに靴の不安定要素を構成する突子で、靴の不安定要素を構成する略Ｓ字形の突条体ＳＴより高さが有あり、突子ＴＨ２及びＴＨ８より高さが低くかつ、突子ＴＭ１及びＴＭ７よりも高さが低い突子で、足刀部ＦＮ２の第五足指ＦＦ５側の部位に設けた突子。高さは突子ＴＬ３と突子ＴＬ５及びＴＬ６と同じ高さの突子。
ＴＬ５  靴の不安定要素を構成する略Ｓ字形の突条体ＳＴとともに靴の不安定要素を構成する突子で、靴の不安定要素を構成する略Ｓ字形の突条体ＳＴより高さが有あり、突子ＴＨ２及び突子ＴＨ８より高さが低くかつ、突子ＴＭ１及び突子ＴＭ７よりも高さが低い突子で、小指球ＦＮ６の部位に設けた突子。高さは突子ＴＬ３と突子ＴＬ４及びＴＬ６と同じ高さの突子。
ＴＬ６  靴の不安定要素を構成する略Ｓ字形の突条体ＳＴとともに靴の不安定要素を構成する突子で、靴の不安定要素を構成する略Ｓ字形の突条体ＳＴより高さが有あり、突子ＴＨ２及び突子ＴＨ８より高さが低くかつ、突子ＴＭ１及びＴＭ７よりも高さが低い突子で、指尖球ＦＮ５の部位に設けた突子。高さは突子ＴＬ３と突子ＴＬ４及びＴＬ５と同じ高さの突子。
ＡＳＭ２  突子ＴＨ２が靴のアウトソ−ルＳＳの接地面側に接着する面
ＡＳＭ８  突子ＴＨ８が靴のアウトソ−ルＳＳの接地面側に接着する面
ＳＰ２  突子ＴＨ２が靴のアウトソ−ルＳＳの接地面側に接着する面の中心点
ＳＰ８  突子ＴＨ８が靴のアウトソ−ルＳＳの接地面側に接着する面の中心点
ＴＰ１  内足側の突子ＴＭ１の接地面側の先端の中心点
ＴＰ２  突子ＴＨ２が、靴のアウトソ−ルＳＳの接地面側に接着する面ＡＳＭ２の中心点ＳＰ２と、突子ＴＨ２が接地する側の先端の中心点を結ぶ垂線が、水平な床面又は水平な地面と交わる交点。
ＴＰ３  外足側の突子ＴＬ３の接地面側の先端の中心点
ＴＰ４  外足側の突子ＴＬ４の接地面側の先端の中心点
ＴＰ５  外足側の突子ＴＬ５の接地面側の先端の中心点
ＴＰ７  内足側の突子ＴＭ７の接地面側の先端の中心点
ＴＰ８  突子ＴＨ８が、靴のアウトソ−ルＳＳの接地面側に接着する面ＡＳＭ８の中心点ＳＰ８と、突子ＴＨ８が接地する側の先端の中心点を結ぶ垂線が、水平な床面又は水平な地面と交わる交点。
Ｌ１  略Ｓ字形の突条体と８つの突子からなる靴の不安定要素を備えている靴のアウトソ−ルＳＳの接地面が、水平な床面または、水平な地面に対して平行な状態、すなわち水平な状態に於いて、突子ＴＨ２が靴のアウトソ−ルＳＳの接地面側に接着する面ＡＳＭ２の中心点ＳＰ２と、接地する側の先端の中心点とを結ぶ垂線が、水平な床面又は、水平な地面と交わる点を交点ＴＰ２として、さらに突子ＴＨ８が靴のアウトソ−ルＳＳの接地面側に接着する面ＡＳＭ８の中心点ＳＰ８と、接地する側の先端の中心点とを結ぶ垂線が、水平な床面又は、水平な地面と交わる点を交点ＴＰ８として、この交点ＴＰ２と交点ＴＰ８を結ぶ線分。
Ｌ２  内足側の突子ＴＭ１の接地面側の先端の中心点ＴＰ１から垂線を引き、水平な床面または水平な地面と交わる点の交点ＫＰ１に至る線分。
Ｌ３  線分Ｌ２が、水平な床面または水平な地面と交わる点を交点ＫＰ１としてこの交点ＫＰ１から線分Ｌ１と直交する線分をＬ３として、この線分Ｌ３と線分Ｌ１との交点をＫＰ２とする線分。
Ｌ４  線分Ｌ３と線分Ｌ１との交点をＫＰ２として、この交点ＫＰ２と突子ＴＭ１の接地面側の先端の中心点ＴＰ１を結ぶ線分。
Ｌ５  外足側の突子ＴＬ３の接地面側の先端の中心点ＴＰ３から水平な床面又は水平な地面に対する垂線で交点ＫＰ３までの線分。
Ｌ６  線分Ｌ５が、水平な床面または水平な地面と交わる点を交点ＫＰ３としてこの交点ＫＰ３から線分Ｌ１と直交する線分で、線分Ｌ１との交点はＫＰ４。
Ｌ７  線分Ｌ６と線分Ｌ１との交点をＫＰ４として、この交点ＫＰ４と突子ＴＬ３の接地面側の先端の中心点ＴＰ３を結ぶ線分
Ｌ８  外足側の突子ＴＬ４の接地面側の先端の中心点ＴＰ４から水平な床面または水平な地面にたいする垂線で交点ＫＰ５までの線分。
Ｌ９  線分Ｌ８が、水平な床面または水平な地面と交わる点を交点ＫＰ５としてこの交点ＫＰ５から線分Ｌ１と直交する線分で、線分Ｌ１との交点はＫＰ６。
Ｌ１０  線分Ｌ９と線分Ｌ１との交点をＫＰ６として、この交点ＫＰ６と突子ＴＬ４の接地面側の先端の中心点ＴＰ４を結ぶ線分。
Ｌ１１  外足側の突子ＴＬ５の接地面側の先端の中心点ＴＰ５から水平な床面または水平な地面に対する垂線で交点ＫＰ７までの線分。
Ｌ１２  線分Ｌ１１が、水平な床面または水平な地面と交わる点を交点ＫＰ７としてこの交点ＫＰ７から線分Ｌ１と直交する線分で、線分Ｌ１２と線分Ｌ１との交点はＫＰ８。
Ｌ１３  線分Ｌ１２と線分Ｌ１との交点をＫＰ８として、この交点ＫＰ８と突子ＴＬ５の接地面側の先端の中心点ＴＰ５を結ぶ線分。
Ｌ１４  内足側の突子ＴＭ７の接地面側の先端の中心点ＴＰ７から垂線を引き、水平な床面または水平な地面と交わる点の交点ＫＰ９に至る線分。
Ｌ１５  線分Ｌ１４が、水平な床面または水平な地面と交わる点を交点ＫＰ９してこの交点ＫＰ９から線分Ｌ１と直交する線分でこの線分Ｌ１５と線分Ｌ１との交点はＫＰ１０。
Ｌ１６  線分Ｌ１５と線分Ｌ１との交点をＫＰ１０として、この交点ＫＰ１０と突子ＴＭ７の接地面側の先端の中心点ＴＰ７を結ぶ線分。
ＫＰ１  内足側の突子ＴＭ１の接地面側の先端の中心点ＴＰ１から、水平な床面または水平な地面に対する垂線との交点。
ＫＰ２  内足側の突子ＴＭ１の接地面側の先端の中心点ＴＰ１から、水平な床面または水平な地面に対する垂線の交点ＫＰ１から、線分Ｌ１に対して直交する線分Ｌ３と線分Ｌ１との交点。
ＫＰ３  外足側のＴＬ３の接地面側の先端の中心点ＴＰ３から、水平な床面または水平な地面に対する垂線の交点。
ＫＰ４  外足側の突子ＴＬ３の接地面側の先端の中心点ＴＰ３から、水平な床面または水平な地面に対する垂線の交点ＫＰ３から、線分Ｌ１に対して直交する線分Ｌ６と線分Ｌ１との交点。
ＫＰ５  外足側の突子ＴＬ４の接地面側の先端の中心点ＴＰ４から、水平な床面または水平な地面に対する垂線との交点。
ＫＰ６  外足側の突子ＴＬ４の接地面側の先端の中心点ＴＰ４から、水平な床面または水平な地面に対する垂線の交点ＫＰ５から、線分Ｌ１に直交する線分Ｌ９と線分Ｌ１との交点
ＫＰ７  外足側の突子ＴＬ５の接地面側の先端の中心点ＴＰ５から、水平な床面または水平な地面に対する垂線の交点。
ＫＰ８  外足側の突子ＴＬ５の接地面側の先端の中心点ＴＰ５から、水平な床面または水平な地面に対する垂線の交点ＫＰ７から、線分Ｌ１に対して直交する線分Ｌ１２と線分Ｌ１との交点。
Ｌ９  内足側の突子ＴＭ７の接地面側の先端の中心点ＴＰ７から、水平な床面または水平な地面に対する垂線との交点。
ＫＰ１０  内足側の突子ＴＭ７の接地面側の先端の中心点ＴＰ７から、水平な床面または水平な地面に対する垂線の交点ＫＰ７から、線分Ｌ１に対して直交する線分Ｌ１５と線分Ｌ１との交点
θ１  靴のアウトソ−ルＳＳの素材を踵ＦＮ１から爪先に向けて徐々に厚くなるようにして、靴のミッドソ−ルＳＭとの接着面側と接地面側との間に設けた角度。
θ２  図１８に示す内足側の突子ＴＭ１の接地面側の先端の中心点ＴＰ１からの垂線を線分Ｌ２として、この線分Ｌ２が、水平な床面または水平な地面と交わる点を交点ＫＰ１としてこの交点ＫＰ１から線分Ｌ１と直交する線分をＬ３として、この線分Ｌ３と線分Ｌ１との交点をＫＰ２として、この交点ＫＰ２と突子ＴＭ１の接地面側の先端の中心点ＴＰ１を結ぶ線分をＬ４として、交点ＫＰ２を頂点とする線分Ｌ３と線分Ｌ４が形成する角度をθ２として、その角度が１５度になるように設定して、足首が内足側に傾斜するときに足首の許容傾斜角度２０度を越えないように、突子ＴＭ１が傾斜止めに機能する角度。
θ３  図１８に示す外足側の突子ＴＬ３の接地面側の先端の中心点ＴＰ３からの垂線を線分Ｌ５として、この線分Ｌ５が、水平な床面または水平な地面と交わる点を交点ＫＰ３としてこの交点ＫＰ３から線分Ｌ１と直交する線分をＬ６として、この線分Ｌ６と線分Ｌ１との交点をＫＰ４として、この交点ＫＰ４と突子ＴＬ３の接地面側の先端の中心点ＴＰ３を結ぶ線分をＬ７として、交点ＫＰ４を頂点とする線分Ｌ６と線分Ｌ７が形成する角度をθ３として、その角度が２０度になるように設定して、足首が外足側に傾斜するときに足首の許容傾斜角度３０度を越えないように、突子ＴＬ３が傾斜止めに機能する角度。
θ４  図１８に示す外足側の突子ＴＬ５の接地面側の先端の中心点ＴＰ５からの垂線を線分Ｌ１１として、この線分Ｌ１１が、水平な床面または水平な地面と交わる点を交点ＫＰ７としてこの交点ＫＰ７から線分Ｌ１と直交する線分をＬ１２として、この線分Ｌ１２と線分Ｌ１との交点をＫＰ８として、この交点ＫＰ８と突子ＴＬ５の接地面側の先端の中心点ＴＰ５を結ぶ線分をＬ１３として、交点ＫＰ８を頂点とする線分Ｌ１２と線分Ｌ１３が形成する角度をθ４として、その角度が２０度になるように設定して、足首が外足側に傾斜するときに足首の許容傾斜角度３０度を越えないように、突子ＴＬ５が傾斜止めに機能する角度。
θ５  図１８に示す内足側の突子ＴＭ７の接地面側の先端の中心点ＴＰ７からの垂線を線分Ｌ１４として、この線分Ｌ１４が、水平な床面または水平な地面と交わる点を交点ＫＰ９してこの交点ＫＰ９から線分Ｌ１と直交する線分をＬ１５として、この線分Ｌ１５と線分Ｌ１との交点をＫＰ１０として、この交点ＫＰ１０と突子ＴＭ７の接地面側の先端の中心点ＴＰ７を結ぶ線分をＬ１６として、交点ＫＰ１０を頂点とする線分Ｌ１５と線分Ｌ１６が形成する角度をθ５として、その角度が１５度になるように設定して、足首が内足側に傾斜するときに足首の許容傾斜角度２０度を越えないように、突子ＴＭ７が傾斜止めに機能する角度。
【手続補正３】
【補正対象書類名】図面
【補正対象項目名】図１８
【補正方法】追加
【補正の内容】
【図１８】
0003220169.tif 000020